(57)【要約】【課題】ユーザが水容器とフィルタに容易にアクセスすることができる加湿空気清浄機を提供する。【解決手段】加湿空気清浄機は、開いた前部および後部を有する六面体の形状の本体フレームと、本体フレームの後端部に結合され、中央部分に空気が流入するファン吸気口を有するファンハウジングと、送風ファンを収容するためにファンハウジングの後端部に結合されたハウジングカバーと、ファンハウジングの上端部およびハウジングカバーの上端部に形成され、送風ファンからの空気が排出される排出ポートと、を含んでもよい。水車モータがファンハウジングの前面に取り付けられ、かつファン吸気口の外側に配置され、駆動ギヤが水車モータに結合され、ドアアセンブリが本体フレームの前端部から出し入れされるように構成され、水槽がドアアセンブリの下側に収容され、加湿フィルタアセンブリが水槽に挿入される。【選択図】図１
2020071018.tif 000002
【特許請求の範囲】
【請求項１】
加湿空気清浄機であって、
多面体形状の本体フレームであって、各々が開いた構成で形成された前面、後面、および上面を含む本体フレームと、
前記本体フレームの前記開いた前面を選択的に遮蔽するように配置されたドアアセンブリと、
前記本体フレームに結合され、前記本体フレームの前記開いた後面を遮蔽するファンハウジングと、前記ファンハウジングに形成された前記空気清浄機の外部から空気が流入するファン吸気口と、
電気部品を支持するためのプレートであって、前記本体フレームの前記開いた上面を遮蔽するように配置されたプレートと、
前記ファンハウジングの後側に結合され、送風ファンを囲むハウジングカバーと、
前記送風ファンを通過した空気が排出される排出ポートであって、前記ファンハウジングの上端部と前記ハウジングカバーの上端部とによって形成される空間として画定される排出ポートと、
前記送風ファンに動作可能に接続されて前記送風ファンを駆動する第１のモータであって、前記ファンハウジングの後面に結合され、前記ファン吸気口の中心に位置する第１のモータと、
前記ファンハウジングの前記前面に結合され、前記ファン吸気口の外側に位置する第２のモータと、
前記ドアアセンブリの後部に取り付けられ、前記第２のモータの前部をブロックする加湿フィルタアセンブリとを備えてなる、加湿空気清浄機。
【請求項２】
前記ドアアセンブリの前面に取り付けられたエアフィルタアセンブリを更に備え、
音波をキャンセルするように構成された緩衝空間が、前記エアフィルタアセンブリと前記加湿フィルタアセンブリとの間に形成される、請求項１に記載の加湿空気清浄機。
【請求項３】
前記緩衝空間は、前記緩衝空間の容積が前記緩衝空間の上部部分に向かって増加するように形成される、請求項２に記載の加湿空気清浄機。
【請求項４】
前記空気清浄機の前部から前記空気清浄機の後部への方向における前記緩衝空間の幅は、前記エアフィルタアセンブリと前記加湿フィルタアセンブリとの間の距離として定義され、
前記緩衝空間は、前記緩衝空間の上端部の幅（ＤＨ）が前記緩衝空間の下端部の幅（ＤＬ）よりも大きくなるように形成される、請求項２に記載の加湿空気清浄機。
【請求項５】
前記本体フレームの対向する側面の各々に結合され、電気部品を支持するための前記プレートの上方に延在するサイドパネルと、
前記それぞれのサイドパネルの各々の後端部に結合され、前記ハウジングカバーの後側を遮蔽するように構成された後部パネルと、
前記それぞれのサイドパネルの各々の上端部に結合され、電気部品を支持するための前記プレートの上側を覆うように構成された上部パネルと、
前記ドアアセンブリの前面を形成するドアパネルであって、前記上部パネルおよび前記サイドパネルのそれぞれの前端部と共に平坦面を形成するドアパネルとを更に備えてなる、請求項１に記載の加湿空気清浄機。
【請求項６】
キャビネットと、
前記キャビネットから選択的に引き出され、前記キャビネットに押し込まれるように構成されたドアアセンブリと、
前記ドアアセンブリに設けられ、貯水空間を形成する水槽と、
前記ドアアセンブリに配置された水車であって、前記水車の下端部が前記貯水空間に貯蔵された水に浸漬され、加湿フィルタを含む水車と、
前記キャビネットに結合され、前記水車を回転させるように構成された水車モータと、
前記水車の前部を遮蔽するように構成され、前記加湿フィルタの前部に対応する位置で空気が流入する吸気開口部を形成する加湿フィルタケースとを備えてなり、
前記水車は、前記水車の最上端部から前記加湿フィルタケースまでの最短距離Ｄ１が、前記水車の最下端部から前記加湿フィルタケースまでの最短距離Ｄ２よりも短くなるように配置される、加湿空気清浄機。
【請求項７】
前記水車は、前記水車の上端部が前記水車の下端部に対して前記キャビネット内で前方に傾斜するように、前記キャビネット内に配置される、請求項６に記載の加湿空気清浄機。
【請求項８】
前記水車はフレームを更に備え、前記加湿フィルタは前記フレームに固定され、
前記水車の中心シャフトは、前記フレームを前記キャビネットに斜めに結合するようにガイドするように構成された溝を備えてなる、請求項６に記載の加湿空気清浄機。
【請求項９】
加湿空気清浄機であって、
キャビネットと、
前記キャビネットの前面に選択的に押し込まれ、または前面から引き出されるように構成されたドアと、
前記キャビネットに結合された水車モータと、
前記ドアに配置され、貯水部分および水容器台座面を形成する水槽であって、水容器が前記水容器台座面の前記貯水部分より高い位置に着座する、水槽と、
前記貯水部分に挿入され、前記水車モータに接続されて前記水車モータによって回転される水車とを備えてなり、
前記水車は、
加湿フィルタが回転して前記貯水部分の水と接触することによって前記貯水部分から水を吸収するように構成された前記加湿フィルタと、
前記加湿フィルタの周囲に沿って延在し、前記加湿フィルタを前後方向に支持する２つの外側フレームと、前記２つの外側フレームの間の空間によって画定される流動溝と、を備えた加湿フィルタユニットと、
前記流動溝の一部を覆い、前記２つの外側フレームの縁部を接続するように延在する壁を備えた収集部分とを備えてなる、加湿空気清浄機。
【請求項１０】
前記加湿フィルタユニットは、
前記流動溝の底部を画定し、前記２つの外側フレームの一方から前記２つの外側フレームの他方に接触するように延在する収集リブを更に備え、
前記収集リブは、前記水が前記加湿フィルタに流入する落下孔を備えてなる、請求項９に記載の加湿空気清浄機。
【請求項１１】
前記収集部分の壁は、
前記収集リブから前記２つの外側フレームの前記外側縁部まで垂直に延在する遮蔽壁と、
前記遮蔽壁の端部部分から前記２つの外側フレームの外側縁部に沿って延在する上壁とを備えてなる、請求項１０に記載の加湿空気清浄機。
【請求項１２】
加湿空気清浄機であって、
キャビネットと、
レールによって前記キャビネットに接続されたドアと、
前記ドアに取り付けられ、水を収容する水槽と、
前記ドアに取り付けられた前記水槽に挿入された水車であって、前記水車の回転により前記水槽に貯蔵された水を収集する水車と、
前記キャビネットの内側部分に結合され、前記水車を回転させるために前記水車に接続された水車モータと、
前記水槽に挿入された加湿フィルタケースであって、前記水車を覆うように構成され、前記水車の一部が前記水槽内の水にさらされる開口部を備えた加湿フィルタケースと、
前記加湿フィルタケースの後端部から延在し、前記水車の後部を支持するシャフト支持体と、
前記水車と接触し、前後方向に転動するように適合されたガイドローラとを備えてなる、加湿空気清浄機。
【請求項１３】
前記ガイドローラは
前記水車の前側から前記水車の外側フレームに接触する前部ガイドローラと、
前記水車の後側から前記水車の前記外側フレームに接触する後部ガイドローラとを備えてなる、請求項１２に記載の加湿空気清浄機。
【請求項１４】
前記前部ガイドローラは、前記加湿フィルタケースの内面に取り付けられ、
前記後部ガイドローラは、前記シャフト支持体の内面に取り付けられる、請求項１３に記載の加湿空気清浄機。
【請求項１５】
加湿空気清浄機であって、
一方向に開くように構成されたキャビネットと、
前記キャビネットの開放方向に前記キャビネットから引き出されるように構成されたドアアセンブリと、
前記ドアアセンブリに収容された加湿フィルタユニットであって、前記加湿フィルタユニットを水中で回転させることにより、前記ドアアセンブリ上の貯水容器に貯蔵された水を吸収するように構成された加湿フィルタユニットと、
前記キャビネットに結合された水車モータと、
前記水車モータに回転可能に結合された駆動ギヤと、
前記加湿フィルタユニットの後側に取り付けられ、前記駆動ギヤと係合するフィルタギヤとを備えてなり、
前記駆動ギヤまたは前記フィルタギヤの回転方向は、前記ドアアセンブリが前記キャビネットから引き出される方向に対して垂直である、加湿空気清浄機。
【請求項１６】
前記フィルタギヤは、前記ドアアセンブリが前記キャビネットに押し込まれる方向に前記駆動ギヤと係合するように構成される、請求項１５に記載の加湿空気清浄機。
【請求項１７】
前記フィルタギヤは、
フィルタギヤ歯と、
前記フィルタギヤ歯から後方に突出し、前記フィルタギヤ歯と前記駆動ギヤ歯の係合をガイドするように構成されたスリップガイドとを備えてなる、請求項１５に記載の加湿空気清浄機。
【請求項１８】
前記駆動ギヤは、
前記駆動ギヤ歯から前方に突出し、前記スリップガイドと接触する結合ボスを備えてなる、請求項１７に記載の加湿空気清浄機。
【請求項１９】
加湿空気清浄機であって、
前後方向に開くように構成された本体フレームと、
前記本体フレームに結合され、前記本体フレームの前部を選択的に遮蔽するように、前記本体フレームの前記前部から引き出されて前記前部に押し込まれるように構成されたドアアセンブリと、
ファンモータ用のハウジングアセンブリであって、前記本体フレームの後側を遮蔽するように構成され、前記ファンモータが送風ファンを駆動するように構成される、ハウジングアセンブリと、
前記ハウジングアセンブリに収容された水車モータと、
前記水車モータを前記ハウジングアセンブリに固定するように構成されたモータブラケットとを備えてなり、
前記モータブラケットは、
前記モータブラケットの外周面から外向きに延在するルーバガイドと、
ルーバの周囲に沿って形成され、前記ルーバガイドに嵌合する溝を備えた前記ルーバとを備えてなる、加湿空気清浄機。
【請求項２０】
前記ハウジングアセンブリは、
空気が流入する中央に位置するファン吸気口を含むファンハウジングと、
前記ファンハウジングの後部に結合され、前記送風ファンを収容するように構成されたハウジングカバーと、
前記ファンハウジングの前部に結合され、前記水車モータおよび前記モータブラケットを覆うハウジングフロントカバーとを備えてなる、請求項１９に記載の加湿空気清浄機。
【発明の詳細な説明】
【技術分野】
【０００１】
本発明は、加湿空気清浄機に関する。
【背景技術】
【０００２】
空気清浄機は、汚染された空気を吸い込んで浄化し、浄化された空気を排出するための装置として理解されている。例えば、空気清浄機は、空気清浄機の内側部分に外気を流入させるための送風装置と、空気中のダストや細菌などをフィルタ処理するためのフィルタと、を含んでもよい。
【０００３】
加湿器は、空気を吸い込んで加湿し、加湿された空気を排出して空気に水分を供給するための装置として理解される。従来の加湿器は、振動プレートで水を霧化した後に空気中に排出する振動型と、加湿フィルタで水が自然に蒸発する自然蒸発型と、に分類される。自然蒸発型加湿器には、駆動力でディスクを回転させ、空気中のディスク表面から水を自然に蒸発させるディスク型加湿器と、水に浸した加湿媒体に空気を流すことで水が自然に蒸発する加湿フィルタ型加湿器と、が含まれる。
【０００４】
近年、空気清浄機に加湿機能を付加した加湿空気清浄機が開発されている。加湿空気清浄機の場合、衛生のために、フィルタと水容器はユーザが定期的にクリーニングまたは交換する必要がある。
【０００５】
これに関連する関連技術は、韓国公開特許第１０−２０１７−００５１２７６Ａ号（以下、「関連技術１」と呼ぶ）である。
【０００６】
しかし、関連技術１に開示した加湿空気清浄機の内部構造は比較的複雑である。関連技術１では、ユーザが時々水で満たす必要がある水容器を容易に操作することが難しいという問題がある。
【０００７】
これに関連して、韓国公開特許第１０−１２２５９８１Ｂ１号（以下、関連技術２と呼ぶ）は、水容器およびトレイを容易に引き出しまたは挿入するための技術を開示し、そこでは水容器が空気清浄機の側面の外またはその中にそれぞれ設置される。
【０００８】
関連技術２では、駆動ユニットが設けられた回転する回転体（または駆動ギヤ）と、回転体の回転力を受けて回転する加湿ギヤ（または水車）と、加湿ギヤの周囲（または外周）に設けられたリフタ（または収集器）と、含む構成が開示され、リフタは、加湿ギヤを回転させてそこに設けられた加湿フィルタを濡らすことにより、トレイに貯蔵された水を注ぐ。
【０００９】
関連技術２では、加湿ギヤは、空気清浄機内に側方に摺動可能に引き込まれ、回転体と係合するように設けられている。このような結合方法は、ギヤ間の係合を安定して行うことができるという利点がある。
【００１０】
しかし、加湿ギヤが回転体に接触し、加湿ギヤが空気清浄機内に完全に引き込まれるまで、ユーザが加湿ギヤを押す力により、回転体を強制的に所定の回転角度だけ回転させることができる。そのため、関連技術２の加湿ギヤの引き出しおよび挿入はスムーズではなく、ギヤ同士の接触やモータの強制回転によるノイズが発生する。
【００１１】
さらに、加湿ギヤの挿入は、ユーザがモータの回転を強制するためのしきい値以上の力を与えたときにのみ完了するため、加湿ギヤと回転体の組み合わせ過程はスムーズではない。
【００１２】
結局、関連技術２に開示した加湿ギヤと回転体との組み合わせは、ノイズの発生、ユーザが必要とする比較的大きな力、粗く不均一な組み合わせ過程などの問題を有する。
【００１３】
一方、関連技術２の加湿ギヤは、送風ファンによる吸気口をトレイの水に接触させるように導くために、空気流通孔の下方に位置している。したがって、加湿ギヤと係合する回転体も、空気流通孔の上部部分の一部を塞ぐように配置されている。
【００１４】
さらに、関連技術２のリフトは、回転体と係合して回転する加湿ギヤと一体に形成されている。したがって、リフトと回転体は空気の流れを妨げる。
【００１５】
さらに、空気流通孔と加湿ギヤの中央部分との前後方向の重なり領域に空気の流れが集中する可能性がある。重なり合う領域以外の領域に流入する空気は、送風ファンに吸い込まれる過程で流れの干渉、損失、ノイズを引き起こす可能性がある。
【００１６】
結局、関連技術２に開示した加湿ギヤと回転体の形状、結合関係、位置は、送風ファンによって吸い込まれる空気の流路を複雑にし、流れの干渉、流れ損失、および流れのノイズを発生させる問題を引き起こす。
【００１７】
関連技術２の加湿ギヤ支持部分は、前方の加湿ギヤを支持するように形成されている。加湿ギヤ支持部分は、トレイの前端部から上方に延在する１つの面を形成する。そのため、加湿フィルタに導入される空気の取り込みがブロックされる。言い換えると、加湿ギヤ支持部分は、加湿フィルタに吸い込まれる空気の流れ方向に対する抵抗として機能する可能性がある。
【００１８】
結局、関連技術２に開示した加湿ギヤ支持部分は、空気の取り入れ面積が相対的に狭くなり、抵抗による流動損失が発生するという問題がある。
【００１９】
さらに、前方の加湿ギヤ支持部分に加湿ギヤが支持され、送風ファンに空気が吸い込まれる送風ファンの空気流通孔が後部に設けられている。このため、送風ファンに吸い込まれた空気の流れにより加湿ギヤに前後方向の振動が発生し、振動ノイズが発生する。
【００２０】
結局、関連技術２に開示した加湿ギヤ支持部分は、加湿ギヤの振動を防止できないという問題がある。
【００２１】
一方、関連技術２の加湿ギヤの片側に位置する水容器は、トレイにより形成された貯水槽に取り付けられている。貯水槽は、加湿ギヤと連通するように設けられている。
【００２２】
しかしながら、関連技術２では、水容器からトレイの貯水槽に水を供給した際に発生するノイズ（以下、「給水ノイズ」という）の問題、あるいは給水ノイズを最小化する手段に関する動機または提案を認識していない。
【００２３】
結局、関連技術２に開示した水容器およびトレイは、給水ノイズを最小化することが難しいという問題を有している。
【００２４】
要約すると、関連技術２では、上記の問題を解決するように当業者に指示する示唆または動機はない。
【００２５】
一方、関連技術２に基づいて提起された問題は、製品ユーザの感覚的または感情的な要求を満たすことを困難にしている。
【００２６】
ユーザの感覚的または感情的な要求は、製品の品質とアップグレードの程度を決定する重要な要素の１つである。したがって、上記の問題を解決できる技術は、製品の進歩とアップグレードにつながる可能性がある。
【先行技術文献】
【特許文献】
【００２７】
【特許文献１】韓国公開特許第１０−２０１７−００５１２７６Ａ号公報
【特許文献２】韓国公開特許第１０−１２２５９８１Ｂ１号公報
【発明の概要】
【００２８】
［発明が解決しようとする課題］
［課題を解決するための手段］
本発明は、上記問題を解決するためになされたものであり、本発明の目的は、空気清浄機のキャビネットからスライドして出し入れするドアを含み、ドアに水容器とフィルタを配置することによって、ユーザが水容器とフィルタに容易にアクセスすることができる加湿空気清浄機を提供することである。
【００２９】
さらに、本発明の別の目的は、加湿空気清浄機の空気流側で流れ干渉、流れ損失、または流れノイズを最小限に抑えることができる加湿空気清浄機を提供することである。
【００３０】
さらに、本発明の別の目的は、回転する加湿フィルタの駆動ノイズと振動を低減することができる加湿空気清浄機を提供することである。
【００３１】
さらに、本発明の別の目的は、水が水容器から貯水空間に供給されるときに発生するノイズ（「給水ノイズ」）を最小限に抑えることができる加湿空気清浄機を提供することである。
【００３２】
また、本発明の別の目的は、加湿フィルタを回転させる駆動ギヤと水車に結合されたフィルタギヤとを、加湿空気清浄機のドアが開閉するときに移動する前後方向と一致する前後方向に結合または分離することができる加湿空気清浄機を提供することである。
【００３３】
さらに、本発明の別の目的は、加湿フィルタに流入する空気の取り入れ面積を最大化することができる加湿空気清浄機を提供することである。
【００３４】
さらに、本発明の別の目的は、駆動ギヤとフィルタギヤとの間の結合のためにユーザが必要とする力を最小限に抑えることができる加湿空気清浄機を提供することである。
【００３５】
さらに、本発明の別の目的は、ドアアセンブリに設けられた水車とキャビネットに設けられた駆動ギヤとの間の滑らかで安定した結合を有する加湿空気清浄機を提供することである。
【００３６】
さらに、本発明の別の目的は、加湿フィルタのバランスを安定して維持することができる加湿空気清浄機を提供することである。
【００３７】
さらに、本発明の目的は、前後方向の２つのギヤの係合において、ギヤ歯が互いに容易に係合する加湿空気清浄機を提供することである。
【００３８】
さらに、本発明の別の目的は、ギヤの回転方向に垂直な方向に２つのギヤを容易に結合することができる加湿空気清浄機を提供することである。
【００３９】
上記の目的を達成するために、本実施形態による加湿空気清浄機では、給水ノイズ、ファン駆動ノイズ、水車ノイズなどを低減するための二重シール構造を提案することができる。
【００４０】
加湿空気清浄機は、前面、後面、および上面が開いた多面体形状の本体フレームと、本体フレームの開いた前面を選択的に遮蔽するドアアセンブリと、本体フレームの開いた後面を遮蔽するように結合され、空気が流れるファン吸気口が形成されたファンハウジングと、本体フレームの開いた上面を遮蔽する電気プレートと、ファンハウジングの後側に結合され、送風ファンを囲むハウジングカバーと、送風ファンを通過した空気が排出され、ファンハウジングの上端部とハウジングカバーの上端部とによって形成される空間として画定される排出ポートと、送風ファンに駆動力を供給し、送風ファンおよびファン吸気口の中心に位置するようにファンハウジングの後面に結合された第１のモータと、ファン吸気口の外側に位置するようにファンハウジングの前面に結合された第２のモータと、を含む。
【００４１】
したがって、送風ファンを駆動することにより、導入または排出される空気の流路を画定することができる。空気の流路は、モータ、ギヤなどのノイズ源から発生したノイズをユーザの生活環境に逃がすことを可能にするための経路として理解することができる。
【００４２】
したがって、本発明の実施形態による加湿空気清浄機は、ノイズがユーザの環境に逃げることができる空気の流路の生成を回避し、かつ、本体フレームの開放面を遮蔽することによって形成される空間にノイズ源を配置して、ノイズの外部への漏れを最小限に抑えることができる。
【００４３】
加湿空気清浄機は、第２のモータの前部をブロックするためにドアアセンブリの後部に取り付けられた加湿フィルタアセンブリをさらに含んでもよい。
【００４４】
さらに、加湿空気清浄機は、ドアアセンブリの前面に取り付けられたエアフィルタアセンブリをさらに含んでもよい。
【００４５】
音波をキャンセルするための緩衝空間が、エアフィルタアセンブリと加湿フィルタアセンブリとの間に形成されてもよい。したがって、緩衝空間内で複数のノイズ源により発生した音波が互いにキャンセルするため、外部に露出するノイズを最小限に抑えることができる。
【００４６】
緩衝空間は、上部部分に行くほど容積が増加するように形成されてもよい。したがって、加湿空気清浄機内でノイズ源により発生するノイズをキャンセルすることができる。
【００４７】
さらに、緩衝空間を画定する本体フレームの両側面に吸音材を取り付けてもよい。
【００４８】
緩衝空間の高さは、電気プレートと水容器との間の距離として定義されてもよい。前後方向における緩衝空間の幅は、エアフィルタアセンブリと加湿フィルタアセンブリとの間の距離によって定義されてもよい。ここで、緩衝空間は、上端部の幅ＤＨが下端部の幅ＤＬよりも大きくなるように形成されてもよい。
【００４９】
さらに、加湿空気清浄機は、ドアアセンブリに取り付けられ、エアフィルタアセンブリと加湿フィルタアセンブリとの間に位置する水容器をさらに含んでもよい。
【００５０】
加湿フィルタアセンブリは、第２のモータの前部をブロックするように、水容器の後部下端部から電気プレートまで延在する加湿フィルタケースと、加湿フィルタケースにより支持され、ファン吸気口に対応するように配置された加湿フィルタと、を含む。
【００５１】
緩衝空間は、加湿フィルタケースの前面とエアフィルタアセンブリの後面との間に形成されてもよい。
【００５２】
加湿フィルタケースには、その中央にファン吸気口に対応する吸気開口部が形成されてもよい。
【００５３】
ドアアセンブリは、水容器および加湿フィルタアセンブリが挿入される水槽をさらに含んでもよい。水槽には、水容器から供給された水が貯蔵される貯水空間が設けられてもよい。
【００５４】
加湿フィルタアセンブリは、吸気開口部の後部の第２のモータから動力を受けて回転し、回転により貯水部分に水を汲み上げることによって加湿フィルタの水を吸収する水車をさらに含んでもよい。
【００５５】
一方、加湿空気清浄機は、本体フレームの両側面に結合され、電気プレートよりも高く延在するサイドパネルと、サイドパネルの後端部に結合され、ハウジングカバーの後側を遮蔽する後部パネルと、サイドパネルの上端部に結合され、電気プレートの上側を遮蔽する上部パネルと、上部パネルとサイドパネルの前端部によって形成される平面内に配置されるようにドアアセンブリの前面を形成するドアパネルと、を含む。したがって、本体フレームの内部空間を二重にシールすることができる。
【００５６】
さらに、ドアアセンブリの底面には、空気が通って流れる吸気口が形成されてもよい。
【００５７】
別の観点では、本発明の実施形態による加湿空気清浄機は、回転する水車によって貯えられた水との摩擦によって引き起こされるノイズを最小限に抑え、空気の加湿効率を改善できる加湿フィルタアセンブリの構造を提供してもよい。
【００５８】
加湿空気清浄機は、キャビネットから引き出されるドアアセンブリと、ドアアセンブリに設けられ、水が貯蔵される貯水空間を形成する水槽と、水車の下端部が貯水空間内の水に浸漬するように配置され、加湿フィルタが設けられた水車と、を含む。
【００５９】
さらに、加湿空気清浄機は、ファンハウジングの前面に結合され、水車が回転するように力を提供する水車モータと、水車を前方から遮蔽し、加湿フィルタの前方に対応する位置で空気が流入する吸気開口部を形成する加湿フィルタケースと、をさらに含んでもよい。
【００６０】
さらに、加湿空気清浄機は、加湿フィルタケースの後端部から上方に延在し、水車の中心シャフトを後方から支持するシャフト支持体をさらに含んでもよい。
【００６１】
水車は、最上端部から加湿フィルタケースまでの最短距離Ｄ１が、最下端部から加湿フィルタケースまでの最短距離Ｄ２よりも短くなるように配置することができる。
【００６２】
したがって、回転により水車が貯水部分の水に挿入されると、摩擦ノイズを発生させる垂直方向の力を相対的に低減することができる。
【００６３】
さらに、水車は、上端部が下端部に対して前方に傾斜するように配置されてもよい。
【００６４】
さらに、水車は、水の上面に対して傾斜するように、貯水空間内の水に挿入されてもよい。
【００６５】
さらに、水車の中心シャフトは、加湿フィルタを固定するフレームが斜めに結合されるように溝を形成してもよい。ここで、溝は、中心シャフトの外面から斜め方向に凹んでいてもよい。したがって、加湿フィルタを固定するためのフレームを斜め方向に配置することができる。
【００６６】
フレームは、加湿フィルタの周囲（または外周）に沿って延在する外側フレームと、加湿フィルタの前後を固定するフィルタフレームと、を含んでもよい。
【００６７】
水車は、水車モータに結合された駆動ギヤと係合するフィルタギヤをさらに含んでもよい。ここで、フィルタギヤは、外側フレームの後側に配置され、外側フレームの延在方向に沿って延在してもよい。
【００６８】
シャフト支持体は、中心シャフトを着座させるための円形構成を備えた着座溝を含んでもよい。したがって、水車の中心シャフトを着座溝に着座させることができ、安定したバランスを実現することができる。
【００６９】
別の観点では、本発明の実施形態による加湿空気清浄機は、回転する水車によって貯蔵された水との摩擦によるノイズを最小化する水車構造を提案してもよい。
【００７０】
加湿空気清浄機は、キャビネットの前面に挿入され、または引き出されるように設けられたドアと、キャビネットに結合された水車モータと、ドアに設置された、水が貯蔵される貯水部分と、水容器が着座する水容器台座面を形成する水槽と、貯水部分に挿入され、水車モータによって回転される水車と、を含んでもよい。
【００７１】
水車は、回転により貯水部分の水を吸収する加湿フィルタを含んでもよい。
【００７２】
さらに、水車は、加湿フィルタの前後に沿って加湿フィルタを支持するように加湿フィルタの周囲に沿って延在する２つの外側フレームと、２つの外側フレームの間の空間によって画定される流動溝と、を含む加湿フィルタユニットをさらに含んでもよい。
【００７３】
さらに、水車は、流動溝の一部を覆い、２つの外側フレームの縁部を接続するように延在する壁を有する収集部分をさらに含んでもよい。
【００７４】
したがって、収集部分が水槽の貯水空間に貯蔵された水に挿入されると、収集部分の１つの縁部が回転により水と接触することができる。言い換えると、水と接触する構造のサイズ、長さ、および数を相対的に減らすことができる。
【００７５】
さらに、外側フレームは、摩擦面なしに貯水部分の水中で連続的に回転するため、貯水部分の水と接触する部分は、流入孔を画定する上壁の縁面である。したがって、水車と水との間の摩擦ノイズを減らすことができる。
【００７６】
加湿フィルタユニットは、流動溝の底部を画定し、２つの外側フレームの一方から２つの外側フレームの他方に接触するように延在する収集リブをさらに含んでもよい。
【００７７】
収集リブには、水が加湿フィルタに流れることを可能にするための開口部である落下孔が形成されてもよい。したがって、収集部分に流入した水は、収集部分と収集リブが回転によって上下逆になったときに落下孔を通過することができる。
【００７８】
収集部分の壁は、収集リブから２つの外側フレームの外側縁部（または角部）まで垂直に延在する遮蔽壁と、遮蔽壁の端部部分から２つの外側フレームの外側縁部（または角部）に沿って延在する上壁と、を含んでもよい。
【００７９】
したがって、収集部分は、回転により貯水部分の水を汲み上げることができる。
【００８０】
遮蔽壁は、収集リブから半径方向に延在してもよい。上壁は、遮蔽壁から水車の回転方向に延在してもよい。
【００８１】
収集部分は、「┐」形状の縦断面を有するように形成されてもよい。収集部分は、水車の回転方向に対して前方に位置する流入孔を形成してもよい。
【００８２】
したがって、貯水部分内の水が流入孔に流れ込み、遮蔽壁に向かって流れることができる。
【００８３】
外側フレームの下端部は、貯水部分の水に浸漬するように、貯水部分の上端部の下方に位置してもよい。
【００８４】
加湿フィルタは、２つの外側フレームの間に挟まれてもよい。
【００８５】
さらに、２つの外側フレームは、取り外し可能に結合されてもよい。
【００８６】
加湿フィルタユニットは、加湿フィルタを前方から支持する第１のフレームと、加湿フィルタを後方から支持する第２のフレームと、をさらに含んでもよい。ここで、２つの外側フレームは、それぞれ第１のフレームおよび第２のフレームであってもよい。
【００８７】
収集部分の外面は、外側フレームの外面と１つの面を形成してもよい。したがって、貯蔵された水との摩擦によるノイズを低減することができる。
【００８８】
加湿フィルタユニットは、円形形状に形成されてもよい。
【００８９】
さらに、加湿フィルタユニットは、外周部分に沿って貯蔵された水が流入する流動溝と収集部分とが交互に配置されるように配置されてもよい。収集部分は、円周方向に流動溝を遮蔽する遮蔽壁と、流動溝を半径方向に遮蔽する上壁と、を含んでもよい。
【００９０】
別の観点では、本発明の実施形態による加湿空気清浄機は、回転する水車の駆動に起因する振動およびノイズを低減できる構造を提供することができる。
【００９１】
加湿空気清浄機は、キャビネットおよびレールに接続されたドアと、キャビネットの内側部分に結合され、水車を回転させる水車モータと、ドアに取り付けられた水槽に挿入され、水車の回転により水槽に貯蔵された水を収集する水車と、水槽に挿入されて水車を覆い、水車に対応する位置に開口部を有する加湿フィルタケースと、を含む。
【００９２】
加湿空気清浄機は、加湿フィルタケースの後端部から延在して水車の中心シャフトを後側から支持するシャフト支持体と、前後方向に水車と転動できるように水車に接触するガイドローラと、を含んでもよい。
【００９３】
したがって、水車の回転にもかかわらず、周囲の構成との接触を回避することが可能である。ガイドローラにより、水車を安定したバランスを保ちながら回転させることができる。言い換えると、水車の振動を相対的に低減することができる。
【００９４】
複数のガイドローラは、加湿フィルタケースの吸気開口部を画定する周囲に沿って互いに離間してもよい。
【００９５】
さらに、ガイドローラは、水車の外側フレームに前から接触する前部ガイドローラと、水車の外側フレームに後から接触する後部ガイドローラと、を含んでもよい。
【００９６】
前部ガイドローラは加湿フィルタケースの内面に取り付けられてもよく、後部ガイドローラはシャフト支持体の内面に取り付けられてもよい。
【００９７】
ガイドローラは、水車の回転に沿って転動が可能である。したがって、水車の回転に起因するノイズを低減することができる。
【００９８】
さらに、送風ファンを加湿フィルタケースの開口部の後方に配置してもよい。
【００９９】
さらに、ガイドローラは、加湿フィルタケースの内面から突出するローラリブと、ローラリブに挿入されるローラシャフトと、ローラシャフトの周りを回転するローラと、を含んでもよい。
【０１００】
さらに、前部ガイドローラは、水車の前面の上部部分を支持してもよい。後部ガイドローラは、水車の後面の下部部分を支持してもよい。
【０１０１】
さらに、ローラは、ホイールまたはボール形状を含んでもよい。
【０１０２】
ガイドローラの回転中心シャフトは、水車の回転中心シャフトに対して垂直であってもよい。
【０１０３】
加湿フィルタケースの内面には、水車の前面の下部部分を支持するように突出する支持突起が形成されてもよい。
【０１０４】
別の観点では、加湿空気清浄機は、水容器から水槽の貯水空間に水を供給する過程で発生するノイズを低減できる構造を提供することができる。
【０１０５】
加湿空気清浄機は、開口部が形成された前面を有するキャビネットと、キャビネットの前面に出し入れするように設けられたドアアセンブリと、ドアアセンブリに収容され、水が貯蔵される水容器と、水容器の後部に配置された加湿フィルタアセンブリと、を含んでもよい。
【０１０６】
水槽は、水容器の下端部を支持するように形成された水容器台座面を形成し、水容器台座面の中心から下方に凹んだ空間として画定される第１の貯水部分と、第１の貯水部分から後方に延在し、第１の貯水部分よりも容積が大きく形成された空間として画定される第２の貯水部分と、を含む。
【０１０７】
したがって、水容器を水タンクに着座させて給水を行うので、貯水部分からの距離が最大に近いまたは近くなる構造を提案することができる。
【０１０８】
そのため、水槽と水タンクとが比較的離れているか、または別々に設けられている場合に比べて、水容器内の水が水槽に供給される際に発生する給水ノイズを低減できるという利点がある。
【０１０９】
さらに、水容器が水容器台座面に着座している場合、水容器に貯蔵された水は、比較的容積の小さい第１の貯水部分から、比較的容積の大きい第２の貯水部分に流れることができる。
【０１１０】
したがって、貯水空間の容積が水の流れ方向に沿って徐々に増加することにより、給水ノイズを低減することができる。
【０１１１】
さらに、貯水した水を排出するバルブ装置を水容器の底面に設けてもよい。
【０１１２】
さらに、第１の貯水部分の最大高さＨ１は、第１の貯水部分と第２の貯水部分とによって形成される最大幅Ｈ２よりも小さくてもよい。
【０１１３】
さらに、第１の貯水部分の最大高さＨ１は、水槽の最下点から水容器の下端部が接触する水容器台座面まで引いた垂線の長さと定義してもよい。第１の貯水部分と第２の貯水部分とが形成する最大幅Ｈ２は、第１の貯水部分の前端部から第２の貯水部分の最後端部まで引いた垂線の長さと定義してもよい。
【０１１４】
さらに、第１の貯水部分と第２の貯水部分は、同じ高さの底面を有してもよい。したがって、第１の貯水部分と第２の貯水部分とは同じ水位を形成することができる。
【０１１５】
水タンクは、第１の貯水部分に収容され、水容器から排出される水を調整することができるフロート装置をさらに含んでもよい。
【０１１６】
フロート装置は、半径方向に流れるように、水容器から下向きに排出される水をガイドしてもよい。フロート装置を通過した水は、第１の貯水部分および第２の貯水部分に流れることができる。
【０１１７】
さらに、水容器に貯蔵された水の流れ方向は、水が下向きに流れる間に半径方向に変化し、水は、再び落下しながら第１の貯水部分に導入され、第１の貯水部分から側方に流れて、容積の大きい第２の貯水部分に導入することができる。
【０１１８】
これにより、水容器から排出される水の流れ方向が何度も曲げられて比較的容積の大きい方向に流れるため、給水ノイズを低減することができる。
【０１１９】
フロート装置は、相対的に拡大する半径を有する外面を有してもよい。
【０１２０】
さらに、水槽は、加湿フィルタアセンブリが着座するように、水タンクの両側端部に凹んだ係合部分をさらに含んでもよい。したがって、加湿フィルタアセンブリの両側面を係合部分に着座させることができる。
【０１２１】
係合部分は、加湿フィルタアセンブリに挿入されるように突出する段付き突起を形成してもよい。
【０１２２】
さらに、水槽は、前端部の中央部分を下向きに切断することにより形成された前部切開部分をさらに含んでもよい。
【０１２３】
前部切開部分は、水容器の蓋の下方に配置されてもよい。したがって、ユーザは水容器を上方に容易に持ち上げることができる。
【０１２４】
別の観点では、本発明の実施形態による加湿空気清浄機は、２つのギヤ間の係合を容易にしつつ、２つのギヤ間の摩擦ノイズを最小化できる構造を提供することができる。
【０１２５】
加湿空気清浄機は、一方向に開くキャビネットと、キャビネットの開放方向に引き出されるように設けられたドアアセンブリと、ドアアセンブリに収容され、回転により水を吸収する加湿フィルタユニットと、キャビネットに結合された水車モータと、水車モータに結合されて回転する駆動ギヤと、加湿フィルタユニットの後側に取り付けられ、駆動ギヤと噛み合うフィルタギヤと、を含む。
【０１２６】
駆動ギヤまたはフィルタギヤの回転方向は、ドアアセンブリを引き込む方向に垂直であってもよい。
【０１２７】
したがって、ドアアセンブリが後方に移動されてキャビネットに結合されると、駆動ギヤとフィルタギヤは比較的小さな力で容易に係合され得る。
【０１２８】
言い換えると、側面から出し入れするのではなく、水車の前面から出し入れするドアアセンブリによって、難度が増す２つのギヤ間の係合を容易にすることが可能である。
【０１２９】
フィルタギヤは、ドアアセンブリがキャビネットに引き込まれる方向に平行な方向に沿って駆動ギヤと係合してもよい。
【０１３０】
さらに、駆動ギヤおよびフィルタギヤは、ドアアセンブリがキャビネット内に引き込まれている間にスライドして互いに係合するように、互いに接触し係合してもよい。
【０１３１】
フィルタギヤは、フィルタギヤ歯と、フィルタギヤ歯から後方に突出し、駆動ギヤと噛み合うまでフィルタギヤをガイドするスリップガイドと、を含んでもよい。
【０１３２】
スリップガイドは、両側端部の幅が後部に向かって狭くなるように延在してもよい。
【０１３３】
さらに、スリップガイドは、一方の側面に形成された第１の傾斜部分と、他方の側面に形成された第２の傾斜部分と、を含んでもよい。ここで、スリップガイドの後端部は湾曲していてもよい。
【０１３４】
さらに、駆動ギヤは、駆動ギヤ歯と、駆動ギヤ歯から前方に突出し、スリップガイドに接触する結合ボスと、をさらに含む。
【０１３５】
結合ボスは、スリップガイドに面する方向に延在してもよい。ここで、結合ボスの前端部は半球形であってもよい。
【０１３６】
したがって、スリップガイドは、一方または他方にスライドするように結合ボスをガイドすることができる。その結果、結合ボスがスリップガイドのガイドに沿って回転することにより、フィルタギヤまたは駆動ギヤを互いに係合させることができる。
【０１３７】
別の観点では、本発明の実施形態による加湿空気清浄機は、水車を回転させる水車モータで発生するノイズを低減できる構造を提案することができる。
【０１３８】
水車モータは、減速機を使用して比較的低い回転速度でも大量のノイズを生成する場合がある。したがって、このようなノイズを低減する加湿空気清浄機は、前後方向に開く本体フレームと、本体フレームの前面を選択的に遮蔽するように引き出すことができるように本体フレームに結合されたドアアセンブリと、本体フレームの後面を遮蔽し、送風ファンを駆動するためのファンモータを有するハウジングアセンブリと、ハウジングアセンブリに収容された水車モータと、水車モータをハウジングアセンブリに固定するモータブラケットと、を含む。
【０１３９】
モータブラケットは、外周面から外向きに延在するルーバガイドと、ルーバガイドに嵌合するように円周に沿って形成された溝を有するルーバと、を含んでもよい。したがって、ルーバは、水車モータを駆動することにより発生する振動およびノイズを吸収することができる。
【０１４０】
さらに、ハウジングアセンブリは、空気が中心を流れるファン吸気口を有するファンハウジングと、送風ファンを収容するようにファンハウジングの後面に結合されたハウジングカバーと、水車モータおよびモータブラケットを覆うようにファンハウジングの前面に結合されたハウジングフロントカバーと、を含んでもよい。
【０１４１】
さらに、モータブラケットは、ファン吸気口の上方のファンハウジングの前面に結合されてもよい。
【０１４２】
ハウジングフロントカバーは、駆動ギヤを覆うように後面から前方に凹んで形成されたモータケースと、モータケースの下部部分に開口部を形成して、駆動ギヤの一部を露出させる切断端部と、を含んでもよい。
【０１４３】
したがって、水車モータに結合された構成は、ハウジングフロントカバーによって遮蔽することができる。したがって、水車モータの駆動ノイズを低減することができる。
【０１４４】
駆動ギヤはモータブラケットの前方に配置され、水車モータと係合することができる。
【０１４５】
さらに、加湿空気清浄機は、ハウジングアセンブリの前方に配置された加湿フィルタと、駆動ギヤと噛み合うフィルタギヤと、を有する加湿フィルタアセンブリをさらに含んでもよい。
【０１４６】
さらに、送風ファンおよびファンモータは、ファン吸気口の後部に対応するように、ファンハウジングの後面に結合されてもよい。
【０１４７】
さらに、水車モータは、モータブラケットの後部中央に結合されてもよく、水車モータのシャフトは、モータブラケットを通って前方に延在してもよい。
【０１４８】
さらに、駆動ギヤは、フィルタギヤと係合するように下方に延在してもよい。フィルタギヤは、加湿フィルタ駆動ギヤの下方に配置されてもよい。
【０１４９】
ファンハウジングは、モータケースの切断端部によって形成される空間に対応するように、前面から前方に延在するモータカバーを含んでもよい。
【０１５０】
モータカバーは、モータケースの後面から離間するように延在してもよい。
【０１５１】
さらに、ファンハウジングは、前面から突出する締結シャフトを含んでもよい。ここで、締結シャフトは、ルーバの中心を通るように設けられてもよい。
【０１５２】
別の観点では、本発明の実施形態による加湿空気清浄機は、空気流の干渉、流れ損失、および流れノイズを最小限に抑えることができる構造を提案することができる。
【０１５３】
このような加湿空気清浄機は、水槽および送風ファンを備えたキャビネットと、貯水槽に浸漬され、回転可能な中心シャフトを有する水車と、水車の外側に配置され、水車に回転力を提供する駆動モータと、送風ファンを収容し、後部に駆動モータを固定するファンハウジングと、駆動モータの前部を遮蔽し、水車の前面を支持する加湿フィルタケースと、加湿フィルタケースに結合され、水車の中心シャフトを支持するシャフト支持体と、を含む。
【０１５４】
したがって、空気の流れを強制する送風ファンと加湿フィルタの前部を遮蔽するための加湿フィルタケースとの間に駆動モータが配置される防音構造を提供することができ、それによって駆動モータ自体のノイズ漏れを最小限に抑えることができる。
【０１５５】
同時に、関連技術と比較して、空気の流れによって後方に押される水車をシャフト支持体によって後方から支持することにより、振動および振動ノイズを最小限に抑えることができる。
【０１５６】
さらに、加湿空気清浄機は、水車モータに結合された駆動ギヤと、駆動ギヤと噛み合うフィルタギヤと、をさらに含んでもよい。フィルタギヤは、水車の後部に設けられてもよく、水車の外側フレームに沿って延在してもよい。
【０１５７】
さらに、シャフト支持体は、水車の中心シャフトが着座する着座溝を形成してもよい。
【０１５８】
さらに、シャフト支持体は、その側面および底面がフィルタケースの側面および底面に対応する形状に形成されることにより、フィルタケースと一体に結合されてもよい。
【０１５９】
別の観点では、本発明の実施形態による加湿空気清浄機は、加湿フィルタを固定する加湿フィルタユニットの着脱を容易にするための構造を提案してもよい。
【０１６０】
このような加湿空気清浄機は、加湿フィルタを固定するための第１のフレームおよび第２のフレームを含んでもよい。第１のフレームは、収集部分の一方の表面から突出する分解ガイドを含んでもよい。
【０１６１】
ここで、分解ガイドは、回転に沿って接触線および押圧突起と接触するように移動してもよい。押圧突起は、回転方向に沿って傾斜するように形成されてもよい。これにより、ユーザが回転して加湿フィルタユニットを分解する場合に、分解ガイドを接触線に沿って回転しながら押圧突起により押圧し、第１のフレームと第２のフレームを分離することができる。
【０１６２】
さらに、第２のフレームは、第１のフレームに向かって延在する操作ロッドをさらに含んでもよい。さらに、第１のフレームは、操作ロッドが貫通する操作孔を形成してもよい。
【０１６３】
したがって、ユーザは、操作ロッドを回転させることにより、加湿フィルタユニットの分解を容易に行うことができる。
【０１６４】
さらに、収集部分は、第１のフレームと第２のフレームとの間の空間として画定される流動溝の一部を遮蔽する遮蔽壁を含んでもよい。
【０１６５】
収集部分は、遮蔽壁から水車の回転方向に延在する上壁を含んでもよい。
【０１６６】
したがって、遮蔽壁と上壁によって形成される溝に水を収容することができる。
【０１６７】
別の観点では、本発明による加湿空気清浄機は、空間部分を有するキャビネットと、空間部分を選択的に開くために、キャビネットに引き込まれたり引き出されたりできるようにキャビネットに設けられたドアアセンブリと、回転により水分を吸収する加湿フィルタと、キャビネットに固定された加湿フィルタ駆動ギヤと、加湿フィルタに取り付けられ、加湿フィルタ駆動ギヤと噛み合うフィルタギヤと、を含み、駆動ギヤまたはフィルタギヤの回転方向は、ドアアセンブリが引き込まれる方向に対して垂直である。
【０１６８】
したがって、アセンブリは、加湿空気清浄機のキャビネット内にスライド可能に引き出されるドアを含むので、加湿フィルタはドアに収容され、したがって、ユーザは加湿フィルタに容易にアクセスすることができる。
【０１６９】
以上説明した本発明の実施形態による加湿空気清浄機は、以下の効果を有する。
【０１７０】
第１に、フィルタおよび水容器は、前方または後方に出し入れされるドアに設けられる。ユーザがドアを開くと、ユーザが簡単にアクセスできるため、フィルタと水容器は簡単にクリーニングされ、交換される。
【０１７１】
第２に、加湿空気清浄機によって生成されるノイズが最小化され、ユーザの官能的または感情的なニーズが満たされるため、豪華な製品を提供することができる。
【０１７２】
第３に、前後方向に結合または分離されたギヤ間のノイズを最小限に抑えることができるという利点がある。
【０１７３】
第４に、２つのギヤが前後方向の動きを介して係合するように結合されると、結合の精度を向上させることができる。
【０１７４】
第５に、加湿フィルタ駆動ギヤとフィルタギヤは、ユーザが比較的小さな力を提供した場合でも、安定して結合されるという利点がある。
【０１７５】
第６に、シャフト支持体が水車を後方から支持するため、空気流による圧力によって水車が後方に揺れるのを防ぐことができる。その結果、水車の振動を最小限に抑えることができ、振動に起因するノイズを最小限に抑えることができる。
【０１７６】
第７に、水槽に水容器が取り付けられ、水容器が着座する表面を凹ませることにより形成される空間に水容器の給水を制御するバルブが設けられており、バルブを通って流れる水の流れる方向が曲がっているので、給水ノイズを低減することができる。
【０１７７】
第８に、水槽に取り付けられたバルブを通過する水は、第１の貯水部分から容積が拡大された第２の貯水部分に流れるため、給水ノイズを低減することができる。
【０１７８】
第９に、複数の外観カバーの内側にファンハウジングとハウジングカバーが設けられ、ファンハウジングとハウジングカバーの内側に送風ファンが設けられているため、送風ファンで発生するノイズが外部に漏れるのを最小限に抑えることができる。
【０１７９】
第１０に、ガイドローラが加湿フィルタユニットの回転に対応して回転可能に設けられているため、加湿フィルタユニットの回転による摩擦を低減することができる。
【０１８０】
第１１に、加湿フィルタユニットの回転によるノイズの発生を最小限に抑えることができ、それによって静粛性が向上する。
【０１８１】
第１２に、ガイドローラとシャフト支持体が加湿フィルタを前後から安定して支持することができるため、回転する加湿フィルタの傾きを防止できるという利点がある。言い換えると、加湿フィルタのバランスを保つことができるという効果がある。
【０１８２】
第１３に、回転する加湿フィルタの駆動安定性を確保することができる。
【０１８３】
第１４に、ユーザは、加湿フィルタユニットの操作ロッドを回転させることにより、加湿フィルタユニットを容易かつ円滑に分離できるという利点がある。
【０１８４】
第１５に、加湿フィルタの前面を遮蔽する部分が除去されるので、加湿フィルタに空気を導入するための取り入れ面積が相対的に拡大されるという利点がある。
【０１８５】
第１６に、加湿フィルタを通過する空気の流量が相対的に増加するため、空気の浄化および加湿性能が向上する。
【０１８６】
第１７に、ギヤ間の係合方向がギヤの回転方向に対して垂直である場合に、ギヤ間の係合の成功率を向上させることができる。
【図面の簡単な説明】
【０１８７】
【図１】本発明の一実施形態による加湿空気清浄機の構成を示す斜視図である。
【図２】本発明の一実施形態による加湿空気清浄機のドアが開いた状態を示す図である。
【図３】本発明の一実施形態による加湿空気清浄機の構成を示す分解斜視図である。
【図４】図１の線ＶＩ−ＶＩ’に沿った断面図である。
【図５】本発明の一実施形態によるファンハウジングおよび電気プレートを示す斜視図である。
【図６】本発明の一実施形態による加湿フィルタモータ、モータブラケット、および加湿フィルタ駆動ギヤを示す分解斜視図である。
【図７】本発明の一実施形態によるハウジングフロントカバーを示す斜視図である。
【図８】図１の線Ｋ−Ｋ’に沿った拡大断面図である。
【図９】本発明の一実施形態による加湿器フィルタアセンブリと水槽との結合状態を示す斜視図である。
【図１０】本発明の一実施形態による水槽を示す斜視図である。
【図１１】本発明の一実施形態による加湿フィルタアセンブリの後部斜視図である。
【図１２】本発明の一実施形態による加湿フィルタアセンブリの縦断面図である。
【図１３】本発明の一実施形態による加湿フィルタアセンブリの構成を示す分解斜視図である。
【図１４】本発明の一実施形態による加湿フィルタケースの構成を示す斜視図である。
【図１５】図１３の「Ａ」の拡大図である。
【図１６】本発明の一実施形態による加湿フィルタユニットの分解斜視図である。
【図１７】本発明の一実施形態によるフィルタ支持部分（第１のフレーム）を示す後部斜視図である。
【図１８】図１７の線Ｃ−Ｃ’に沿った断面図である。
【図１９】図１７の「Ｂ」の拡大図である。
【図２０】図１１の「Ｅ」の拡大図である。
【図２１】本発明の一実施形態による加湿フィルタ駆動ギヤの構成を示す斜視図である。
【図２２】本発明の一実施形態による加湿フィルタ駆動ギヤとフィルタギヤとの係合過程を示す図である。
【図２３】本発明の一実施形態による加湿フィルタ駆動ギヤとフィルタギヤとが結合された場合に、相対位置による必要な力の実験結果を比較したグラフである。
【発明を実施するための形態】
【０１８８】
次に、本開示の実施形態を詳細に参照し、その例を添付の図面に示す。
【０１８９】
以下の好ましい実施形態の詳細な説明では、本明細書の一部を形成し、本発明を実施することができる特定の好ましい実施形態を例として示す添付図面を参照する。これらの実施形態は、当業者が本発明を実施できるように十分詳細に記載されており、また、他の実施形態を利用することができること、ならびに本発明の趣旨または範囲から逸脱することなく、論理構造的、機械的、電気的、および化学的変更を行うことができることを理解されたい。当業者が本発明を実施することを可能にするために必要ではない詳細を回避するために、説明は、当業者に知られている特定の情報を省略する場合がある。したがって、以下の詳細な説明は限定的な意味で解釈されるべきではない。
【０１９０】
また、実施形態の説明では、本発明の構成要素を説明するときに、第１、第２、Ａ、Ｂ、（ａ）、（ｂ）などの用語を本明細書で使用する場合がある。これらの各用語は、対応する構成要素の本質、順序、またはシーケンスを定義するために使用されるのではなく、対応する構成要素を他の構成要素と区別するためにのみ使用される。
【０１９１】
図１は、本発明の一実施形態による加湿空気清浄機の構成を示す斜視図であり、図２は、本発明の一実施形態による加湿空気清浄機のドアが開いた状態を示す図であり、図３は、本発明の一実施形態による加湿空気清浄機の構成を示す分解斜視図であり、図４は、図１の線ＶＩ−ＶＩ’に沿った断面図である。
【０１９２】
図１〜図４を参照すると、本発明の一実施形態による加湿空気清浄機１０は、外観を形成するキャビネット１００と、引き出せるようにキャビネット１００に結合されたドアアセンブリ２００と、を含む。
【０１９３】
キャビネット１００は、複数のパネルを含む。
【０１９４】
より詳細には、複数のパネルは、下部ベース１０１と、下部ベース１０１の両側に設けられ上方に延在する２つのサイドパネル１０３と、両側のサイドパネル１０３の上側に結合された上部パネル１０５と、両側のサイドパネル１０３の後側に結合された後部パネル１０７と、を含む。
【０１９５】
ベース１０１、２つのサイドパネル１０３、上部パネル１０５、および後部パネル１０７により、キャビネット１００は、開いた前部部分を有する直方体の形状を有してもよい。
【０１９６】
２つのサイドパネル１０３は、後述する本体フレーム１１０の両側面にそれぞれ結合されてもよい。さらに、２つのサイドパネル１０３の上端部は、後述するように電気部品を支持するように構成されたプレート４５１よりも高く位置するように上方に延在してもよい。
【０１９７】
上部パネル１０５は、電気部品を支持するために、プレート４５１の上側で２つのサイドパネル１０３の上端部と結合することができる。上部パネル１０５の前端部は、ドアアセンブリ２００の上端部から後方に離間されてもよい。ディスプレイ（図示せず）が露出されるディスプレイ溝１０８は、上部パネル１０５の前端部とドアアセンブリ２００の上端部との間に形成されてもよい。
【０１９８】
後部パネル１０７は、２つのサイドパネル１０３の後端部と結合することができる。
【０１９９】
複数のパネルは、木材で作られてもよい。したがって、加湿空気清浄機１０は、家具の審美的な外観を与えることができる。言い換えると、外観を向上させることができる。
【０２００】
特に、上部パネル１０５は、テーブル、机、本棚などの家具として機能してもよい。例えば、加湿空気清浄機１０は、上部パネル１０５の利用を改善するために、１メートル（１ｍ）未満の高さを有するように形成されてもよい。
【０２０１】
本発明によれば、上部パネル１０５をテーブル、机、本棚などとして使用することができ、ユーザがベッドに横たわっている場合に、加湿された空気はユーザの身長に近い位置で排出されるため、より快適な室内環境が得られる。
【０２０２】
キャビネット１００の内部空間には、エアフィルタアセンブリ２８０、加湿フィルタアセンブリ３００、送風ファン４８０などが配置されてもよい。一方、エアフィルタアセンブリ２８０および加湿フィルタアセンブリ３００は、まとめて「フィルタアセンブリ」と呼ばれてもよい。
【０２０３】
ドアアセンブリ２００は、キャビネット１００の前方に引き出されることにより開かれてもよいし、キャビネット１００の後方に向かって押し込まれることにより閉じられてもよい。ドアアセンブリ２００は、空気清浄機１０の前面部分を構成するドアパネル２１０を含む。ドアパネル２１０は、「フロントパネル」と呼ばれる場合がある。
【０２０４】
ドアパネル２１０は、正方形プレートの形状を有してもよい。ドアアセンブリ２００が閉じた状態では、ドアパネル２１０は、加湿空気清浄機１０の外観の前面を形成する。さらに、ドアパネル２１０は、家具のような審美的な外観を与えることができるように、木材で作られている。
【０２０５】
ドアパネル２１０は、ドアアセンブリ２００がキャビネット１００内に引き込まれた場合に、上部パネル１０５および２つのサイドパネル１０３の前端部と１つの平坦な表面を形成する位置まで閉じられてもよい。
【０２０６】
したがって、キャビネット１００およびドアアセンブリ２００は、閉じた構造を形成することができ、内部ノイズ源を二重シールすることができる。
【０２０７】
ドアパネル２１０の下端部分とベース１０１との間には、凹状空間３０が形成されている。凹状空間３０の上方には、キャビネット１００内に空気を取り込むための吸気口２２５が形成されている。
【０２０８】
キャビネット１００の上部パネル１０５には、フィルタ処理されて加湿された空気が排出される排出部分１０９が形成されている。排出部分１０９は、上部パネル１０５の後側に位置してもよい。言い換えると、排出部分１０９は、加湿空気清浄機１０の後方上部部分に位置してもよい。
【０２０９】
一方、排出部分１０９は、ハウジングカバー４３０の上端部とファンハウジング４１０の上端部に沿って形成された開口部である空気排出ポートを含んでもよい。空気排出ポートは、送風ファン４８０を通過した空気が流れて外部に排出される開口部として理解することができる。
【０２１０】
ドアアセンブリ２００は、ドアパネル２１０の後面から後方に延在する引き出し２２０をさらに含む。
【０２１１】
引き出し２２０には、加湿空気清浄機１０の構成要素が設けられている。構成要素は、エアフィルタアセンブリ２８０、加湿フィルタアセンブリ３００、水槽２６０、および水容器２７０を含んでもよい。
【０２１２】
ドアアセンブリ２００を前方に引き出してキャビネット１００の前面を開くと、引き出し２２０に配置されたエアフィルタアセンブリ２８０、加湿フィルタアセンブリ３００、および水容器２７０を一緒に前方に引き出すことができる。したがって、ユーザは、エアフィルタアセンブリ２８０、加湿フィルタアセンブリ３００、および水容器２７０に容易にアクセスすることができる。
【０２１３】
引き出し２２０は、キャビネットから引き出されるかキャビネットに押し込まれるようにキャビネット１００に結合されてもよい。したがって、引き出し２２０は、「ドア」または「収容部分」と呼ばれることがある。
【０２１４】
ドアアセンブリ２００は、ドアアセンブリ２００をキャビネットから引き出すまたはドアアセンブリをキャビネットに押し込む動作をガイドするためのレールガイド２３０をさらに含む。レールガイド２３０は、引き出し２２０の下部部分の両側に結合されてもよい。
【０２１５】
ドアアセンブリ２００は、レールガイド２３０に沿ったスライド運動によりキャビネット１００から引き出すか、キャビネット１００に押し込むことができる。言い換えると、ドアアセンブリ２００は、引き出し２２０に配置された複数の構成要素の管理を容易にするために引き出しタイプで提供されてもよい。
【０２１６】
加湿空気清浄機１０は、空気をフィルタ処理するためのエアフィルタアセンブリ２８０、空気を加湿するための加湿フィルタアセンブリ３００、および空気の流れを生成するための送風ファン４８０を含む。
【０２１７】
詳細には、キャビネット１００は、空気清浄機の構成要素が配置される空間部分１１２を形成する本体フレーム１１０を含む。
【０２１８】
空間部分１１２には、緩衝空間１１２ａが形成されてもよい。
【０２１９】
緩衝空間１１２ａは、加湿空気清浄機１０の内部ノイズ源から発生する音波が互いにキャンセルするように干渉するように形成された空間である。
【０２２０】
内部ノイズ源は、駆動ノイズ、流れノイズなどを発生させることができるファンモータ４８５、水車モータ３５３、水車、送風ファン４８０などを含んでもよい。
【０２２１】
さらに、緩衝空間１１２ａの両側面と上部部分を画定する本体フレーム１１０の内面には、ノイズを吸収するための吸音材が設けられてもよい。
【０２２２】
緩衝空間１１２ａは、エアフィルタアセンブリ２８０と加湿フィルタアセンブリ３００との間に形成される空間として定義されてもよい。
【０２２３】
例えば、前後方向における緩衝空間１１２ａの幅は、エアフィルタアセンブリ２８０と加湿フィルタアセンブリ３００との間の距離として定義されてもよい。緩衝空間１１２ａの両側方向の幅は、本体フレーム１１０の両側面間の距離として定義されてもよい。垂直方向における緩衝空間１１２ａの長さは、長さ（または高さ）として水槽２６０の上端部から電気部品を支持するためのプレート４５１までの距離として定義されてもよい。
【０２２４】
緩衝空間１１２ａは、上部部分に向かってより大きな容積を有してもよい。言い換えると、緩衝空間１１２ａは、加湿フィルタアセンブリ３００の前面とエアフィルタアセンブリ２８０の後面との間の距離が、上端部ＤＨがその下端部ＤＬよりも大きくなるように形成されるように、形成されてもよい。
【０２２５】
したがって、送風ファン４８０、ファンモータ４８５、水車、水車モータ３５３などの駆動により発生する様々な音波は、緩衝空間１１２ａを画定する構造によって外部に逃げることができず、互いに干渉によってキャンセルされ得る。
【０２２６】
本体フレーム１１０は、前面、後面、上面が開放された六面体形状を有してもよい。詳細には、本体フレーム１１０の前面は開放されており、開放された前面はドアアセンブリ２００によって遮蔽され得る。さらに、本体フレーム１１０の後面は開放されており、開放された後面は、ファンハウジング４１０およびハウジングカバー４３０によって遮蔽され得る。さらに、本体フレーム１１０の上面は開放されており、開放された上面は電気ユニット４５０によって遮蔽されてもよい。
【０２２７】
２つのサイドパネル１０３は、本体フレーム１１０の両側に結合されている。
【０２２８】
上部パネル１０５は電気ユニット４５０の上側に結合され、後部パネル１０７はハウジングカバー４３０の後側に結合される。
【０２２９】
ドアアセンブリ２００は、前面の外観を形成するドアパネル２１０と、ドアパネル２１０の後部に延在する引き出し２２０と、を含む。
【０２３０】
引き出し２２０は、ドアパネル２１０の後面に結合されたドア前面２２１を含む。ドアパネル２１０およびドア前面２２１をまとめて「ドア前面部分」と呼ぶ場合がある。
【０２３１】
引き出し２２０は、ドア前面２２１の両側から後方に延在するドア側面２２２と、ドア側面２２２の下方に設けられたドア下面と、ドア下面の後側から上方に延在するドア後面と、を含む。
【０２３２】
上述の吸気口２２５は、ドアの下面に形成されてもよい。
【０２３３】
水槽２６０、水容器２７０、エアフィルタアセンブリ２８０、および加湿フィルタアセンブリ３００が設置される設置空間は、ドア前面２２１、ドア下面、ドア側面２２２、およびドア後面により引き出し２２０内に画定することができる。
【０２３４】
エアフィルタアセンブリ２８０は、引き出し２２０に取り付けられてもよい。エアフィルタアセンブリ２８０は、エアフィルタケース２８１と、フィルタケース２８１に結合されたエアフィルタ２８５と、を含んでもよい。エアフィルタアセンブリ２８０は、上方に持ち上げられて分離されるように配置されてもよい。
【０２３５】
水容器２７０は、引き出し２２０のほぼ中央部分、すなわち、キャビネット１００の前後方向に関してエアフィルタアセンブリ２８０の後側に配置されてもよい。水容器２７０は、水槽２６０の内側に取り付けられてもよい。
【０２３６】
水容器２７０は、上方に持ち上げられて分離されるように配置されてもよく、ユーザは、水容器２７０を分離して水を補充したり、水容器２７０を洗浄したりしてもよい。
【０２３７】
水が排出される孔を選択的に開閉するためのバルブ装置２７６が、水容器２７０の底面に設置されてもよい。
【０２３８】
バルブ装置２７６は、水容器２７０が水槽２６０の水容器台座面２６１ｓに置かれると水容器２７０の孔を開き、水容器２７０が水容器台座面２６１ｓから分離されると水容器２７０の孔を閉じるように動作することができる。
【０２３９】
水槽２６０は、上方に開放された多面体の形状を有してもよい。
【０２４０】
水槽２６０は、水容器２７０および加湿フィルタアセンブリ３００を受け入れるように形成された水槽ケース２６１を含む。
【０２４１】
水槽ケース２６１は、水容器２７０の底面が着座するように平坦な１つの面を有することができる。言い換えると、水槽ケース２６１は、水容器２７０が着座する１つの平坦な面である水容器台座面２６１ｓ（図９参照）を含んでもよい。
【０２４２】
水槽２６０は、水槽ケース２６１から下方に突出してフロート装置５００の設置空間を形成するフロート収容部分２６２をさらに含む。
【０２４３】
言い換えると、フロート収容部分２６２は、フロート装置５００が設置される空間を形成するために、水容器受け入れ面の中心から下方に凹んでいてもよい。
【０２４４】
フロート収容部分２６２は、内部が中空である中空形状を有しており、例えば、フロート収容部分２６２を水槽ケース２６１の実質的に中央部分に配置することができる。
【０２４５】
フロート収容部分２６２は、水を貯えるための第１の貯水部分２６２ａ、２６３を形成し、フロート装置５００は、第１の貯水部分２６２ａ、２６３に貯えられた水位に沿って上下方向に移動可能に設けられ得る。
【０２４６】
一方、第１の貯水部分２６２ａ、２６３は、フロート収容部分２６２により形成される内部空間にフロート装置５００が浮遊する空間２６２ａを含む。
【０２４７】
第１の貯水部分２６２ａの水位が設定水位以上になると、フロート装置５００が上昇して水が水容器２７０に流れ込むのを防止する。
【０２４８】
一方、フロート装置５００は、中央部分の上端部および下端部よりも大きい半径を有する外面を形成してもよい。水容器２７０から排出された水が重力により下方に排出されると、水はフロート装置５００の外面に接触しながら半径方向に流れることができる。
【０２４９】
フロート装置５００との接触により半径方向に導かれた水は、下方に流れて第１の貯水部分２６２ａ、２６３に流れ込む。第１の貯水部分２６２ａに流入する水は、第２の貯水部分２２９を一緒に満たすために横方向に流れてもよい。
【０２５０】
したがって、水容器２７０から排出される水の流路は、比較的短い距離で複数回屈曲されるため、給水ノイズを最小化することができる。
【０２５１】
水槽２６０には、フロート収容部分２６２によって形成される第１の貯水部分２６２ａから後方に延在する第２の貯水部分２２９が形成されてもよい。
【０２５２】
第２の貯水部分２２９は、第１の貯水部分２６２ａ、２６３と連通し、第１の貯水部分２６２ａ、２６３と同じ水位を形成してもよい。例えば、第１の貯水部分２６２ａは、第２の貯水部分２２９に水を流すために延在する後部空間２６３を含んでもよい。
【０２５３】
さらに、第２の貯水部分２２９は、第１の貯水部分２６２ａ、２６３よりも大きな容積を有するように形成されてもよい。例えば、第２の貯水部分２２９は、第１の貯水部分の後部空間２６３から容積が増加するように形成されてもよい。
【０２５４】
なお、第１の貯水部分２６２ａおよび第２の貯水部分２２９をまとめて、水槽２６０の「貯水部分」または「貯水空間」と呼ぶ場合がある。
【０２５５】
第２の貯水部分２２９は、水槽ケース２６１の後部部分に形成されてもよい。加湿フィルタアセンブリ３００は、第２の貯水部分２２９に挿入されてもよい。したがって、加湿フィルタアセンブリ３００は、引き出し２２０の後部部分、すなわち、水容器２７０の後側に配置されてもよい。
【０２５６】
加湿フィルタアセンブリ３００は、水槽２６０に挿入されるように配置されてもよい。加湿フィルタアセンブリ３００の下部部分は、第２の貯水部分２２９に貯蔵された水に浸漬するように配置されてもよい。
【０２５７】
加湿フィルタアセンブリ３００は、加湿フィルタケース３１０と、加湿フィルタケース３１０に回転可能に支持された加湿フィルタユニット３２０と、水槽２６０に貯蔵された水を吸収するための加湿フィルタ３３０と、を含む。
【０２５８】
加湿フィルタユニット３２０は、その中心が送風ファン４８０の中心と一致するように配置されてもよい。これにより、送風ファン４８０と加湿フィルタ３３０とが空気の流れ方向に沿って重畳する取り入れ面積を最大化することができる。したがって、加湿フィルタ３３０を通過した空気は、最小限の流量損失で送風ファン４８０に流入することができる。
【０２５９】
加湿フィルタアセンブリ３００は、水槽２６０の第２の貯水部分２２９に貯蔵された水を汲み上げるための収集部分３３２をさらに含む。収集部分３３２は、加湿フィルタユニット３２０の外周に沿って水を保持できる構造を有してもよい。
【０２６０】
複数の収集部分３３２が設けられてもよい。
【０２６１】
一方、加湿フィルタ３３０、加湿フィルタユニット３２０、および収集部分３３２は、水車と呼ぶことができるが、これは、加湿フィルタ３３０、加湿フィルタユニット３２０、および収集部分３３２が回転して貯水部分の水を保持することができるからである。水車は、実質的に円形の形状を有してもよい。
【０２６２】
収集部分３３２から汲み上げられた水は、水車の回転過程に従って移動し、このとき、加湿フィルタユニット３２０に挟まれた加湿フィルタ３３０まで流れ下ることができる。詳細については後述する。
【０２６３】
加湿空気清浄機１０は、水車を回転させる駆動装置として、力を与える水車モータ３５３と、水車モータ３５３に結合されて回転する駆動ギヤ３５５と、をさらに含む。
【０２６４】
水車モータ３５３および駆動ギヤ３５５は、ファンハウジング４１０の前面に取り付けられてもよい。
【０２６５】
詳細には、水車モータ３５３および駆動ギヤ３５５は、ファンハウジング４１０の前面と加湿フィルタケース３１０の後面との間に配置されてもよい。
【０２６６】
水車モータ３５３は、ファンハウジング４１０の中心に形成されたファン吸気口４１５の外側に配置されてもよい。
【０２６７】
詳細には、水車モータ３５３は、ファン吸気口４１５の半径よりも半径方向にファン吸気口４１５の中心から遠くに配置されてもよい。例えば、水車モータ３５３は、ファンハウジング４１０の上部部分に結合されたモータブラケット３５４によって固定されてもよい。
【０２６８】
駆動ギヤ３５５は、水車モータ３５３の前方に配置される。駆動ギヤ３５５は、加湿フィルタユニット３２０に結合されたフィルタギヤ３３８と係合するように、加湿フィルタケース３１０の後部に接続されてもよい。
【０２６９】
駆動ギヤ３５５の外端部分は、駆動ギヤ３５５の中心から半径方向に最も遠い位置にある最外部分として定義されてもよい。
【０２７０】
駆動ギヤ３５５の外端部分は、前面からファン４８０に空気を導入するためにファン吸気口４１５を妨げないように、ファン吸気口４１５の外側に位置してもよい。
【０２７１】
ここで、ファン吸気口４１５の外側は、ファン吸気口４１５の中心から半径方向にファン吸気口４１５の半径よりも大きい距離に位置する点として定義されてもよい。
【０２７２】
一方、加湿フィルタケース３１０は、加湿フィルタケース３１０の上面３１２と側面３１３とで画定される内部空間を後方に形成してもよい。さらに、水車は、加湿フィルタケース３１０の内部空間に配置されてもよい。
【０２７３】
言い換えると、水車モータ３５３および駆動ギヤ３５５は、電気部品を支持するためにプレート４５１の下方に、加湿フィルタケース３１０の内部空間に配置されてもよい。
【０２７４】
さらに、水車モータ３５３および駆動ギヤ３５５は、下方に位置する後述するファンハウジング４１０のモータカバー４１７、４１８と、前方に位置するハウジングフロントカバー４２０と、によって囲まれている。
【０２７５】
したがって、水車モータ３５３および駆動ギヤ３５５は、周囲が遮蔽された空間に配置されている。したがって、水車モータ３５３および駆動ギヤ３５５によって発生するノイズが外部に漏れることを最小化することができる。
【０２７６】
詳細には、水車モータ３５３および駆動ギヤ３５５が、ファンハウジング４１０およびハウジングカバー４３０に収容されて排出部分１０９に接続された流路上に配置される場合には、駆動ノイズが排出部分１０９を通って外部に漏洩する可能性がある。
【０２７７】
しかしながら、本発明の実施形態による水車モータ３５３および駆動ギヤ３５５は、上記構成により、静粛性を相対的に向上させることができる。
【０２７８】
上述のように、加湿フィルタアセンブリ３００は、駆動ギヤ３５５と噛み合うフィルタギヤ３３８を含む。
【０２７９】
フィルタギヤ３３８は、加湿フィルタ３３０の背後に配置されてもよい。フィルタギヤ３３８は、ギヤ歯結合によって駆動ギヤ３５５と結合することができる。例えば、フィルタギヤ３３８は、加湿フィルタユニット３２０の外面に結合されてもよい。
【０２８０】
水車モータ３５３が駆動されると、フィルタギヤ３３８は、駆動ギヤ３５５と噛み合って時計回りまたは反時計回りに回転することができる。したがって、フィルタギヤ３３８の回転に伴い、加湿フィルタユニット３２０と加湿フィルタ３３０とが共に回転することができる。
【０２８１】
水車は、水車モータ３５３の動力を受けることにより回転することができる。したがって、水車の回転により、収集部分３３２により収集された水が円周方向に沿って移動する。収集部分３３２が加湿フィルタ３３０の上方に位置し、加湿フィルタ３３０を濡らすことができると、収集部分３３２内の水は重力により加湿フィルタ３３０に落下する。
【０２８２】
加湿フィルタ３３０は、水を吸収しやすい布、フェルト、またはスポンジ材料で作られてもよい。
【０２８３】
水槽２６０の内部に光を照射するための殺菌装置（図示せず）を水槽２６０の後側に配置して、水槽２６０に貯蔵された水を殺菌してもよい。例えば、殺菌装置は紫外線ＬＥＤを含んでもよい。
【０２８４】
光が殺菌装置から水槽２６０内に放出されるように、水槽２６０の後側に孔２６０ｈ（図１０参照）を形成してもよい。
【０２８５】
殺菌装置は、第２の貯水部分２２９に光を照射することにより水を殺菌することができる。さらに、加湿フィルタアセンブリ３００に切開部分３１５ｂ（図１１参照）を形成して、水槽２６０の孔２６０ｈに設置された殺菌装置により効率的に光が照射されるようにしてもよい。
【０２８６】
加湿空気清浄機１０は、キャビネット１００の内側に配置されたハウジングアセンブリ４００をさらに含む。
【０２８７】
ハウジングアセンブリ４００は、空気流を生成するための送風ファン４８０、送風ファン４８０の前方に位置するファンハウジング４１０、および送風ファン４８０の後方に位置するハウジングカバー４３０を含む。
【０２８８】
ファンハウジング４１０およびハウジングカバー４３０は、送風ファン４８０を受け入れてもよい。言い換えると、ファンハウジング４１０およびハウジングカバー４３０は、送風ファン４８０を囲むように設けられてもよい。
【０２８９】
送風ファン４８０は、ファンハウジング４１０に結合されたファンモータ４８５に結合されてもよい。ファンモータ４８５は、送風ファン４８０を回転させる力を提供してもよい。
【０２９０】
ハウジングアセンブリ４００は、ファンハウジング４１０の前面を覆うハウジングフロントカバー４２０をさらに含んでもよい。詳細については後述する。
【０２９１】
ハウジングアセンブリ４００は、ドアアセンブリ２００の後側に配置されてもよい。
【０２９２】
送風ファン４８０は、回転中心軸方向に空気を吸い込み、半径方向に空気を排出する遠心ファンを含む。例えば、遠心ファンはシロッコファンを含んでもよい。ここで、送風ファン４８０の回転中心軸の方向は、キャビネット１００の前後方向と同じであってもよい。
【０２９３】
加湿空気清浄機１０は、複数の電気部品４５３を有する電気部分４５０をさらに含む。
【０２９４】
電気部分４５０は、本体フレーム１１０の開放された上面を覆う電気部品を支持するためのプレート４５１を含む。電気部品を支持するためのプレート４５１は、ファンハウジング４１０と一体に形成されてもよい。例えば、電気部品を支持するためのプレート４５１は、ファンハウジング４１０の上端部から前方に延在してもよい。
【０２９５】
複数の電気部品４５３は、電気部品を支持するためのプレート４５１の上面に取り付けられてもよい。電気部分４５０は、複数の電気部品４５３の少なくとも一部を遮蔽するための電気カバー４５５をさらに含んでもよい。
【０２９６】
電気部品を支持するためのプレート４５１は、ハウジングアセンブリ４００の上部部分から前方に延在してもよい。
【０２９７】
上部パネル１０５は、電気部品４５３を保護するために電気部品を支持するためのプレート４５１の上側に結合されている。
【０２９８】
本体フレーム１１０の内部には、スライドレール（図示せず）が取り付けられてもよい。スライドレールは、前後方向に移動可能となるようにレールガイド２３０に結合されてもよい。例えば、スライドレールは、レールガイドとペアで提供されてもよい。
【０２９９】
スライドレールは、本体フレーム１１０の下部部分の両側に配置されてもよい。ドアアセンブリ２００に設けられたレールガイド２３０は、レールアセンブリに沿って前後にスライドしてもよい。
【０３００】
スライドレールおよびレールガイド２３０は、レールアセンブリと呼ばれる場合がある。レールアセンブリは、キャビネット１００の開いた表面からドアアセンブリ２００を出し入れする動作をガイドすることができる。
【０３０１】
本体フレーム１１０の下には、照明装置（図示せず）が取り付けられる照明ブラケット（図示せず）がさらに設けられる。
【０３０２】
照明ブラケットは、ベース１０１の上側に配置されてもよい。
【０３０３】
照明装置は、照明源を有する照明ＰＣＢ１２２と、照明ＰＣＢ１２２に結合された照明ケース１２４と、を含む。複数の照明源が提供されてもよい。
【０３０４】
ベース１０１の上面には、反射プレート１２０が設けられてもよい。反射プレート１２０は、照明源から放出された光を穏やかに反射または拡散するために提供されてもよい。
【０３０５】
本発明の実施形態による加湿空気清浄機における空気の流れを概略的に説明する。
【０３０６】
ファンモータ４８５と、ファンモータ４８５に接続された送風ファン４８０と、が駆動されると、加湿空気清浄機１０の外部の空気が凹状空間３０を介して吸気口２２５に吸い込まれてもよい。吸気口２２５から吸い込まれた空気は上向きに流れ、引き出し２２０に流れ込む。
【０３０７】
空気は、エアフィルタアセンブリ２８０を通過する。エアフィルタアセンブリ２８０は、斜め前方に配置されてもよい。したがって、空気は、エアフィルタアセンブリ２８０に設けられたエアフィルタ２８５の前面を均一に通過することができる。
【０３０８】
エアフィルタアセンブリ２８０でフィルタ処理された空気は後方に流れ、加湿フィルタアセンブリ３００を通過することができる。空気は、加湿フィルタアセンブリ３００を通過する間に加湿され、加湿された空気は、送風ファン４８０を通過することができる。
【０３０９】
エアフィルタアセンブリ２８０、水槽２６０、および加湿フィルタアセンブリ３００は、引き出し２２０の内側でキャビネット１００の前面からキャビネット１００の後部に向かって順に配置されてもよい。したがって、空気のフィルタ処理と加湿を容易に行うことができる。
【０３１０】
一方、送風ファン４８０の回転中心軸方向に吸い込まれた空気は、半径方向に排出され得る。送風ファン４８０を通過した空気は上方に流れ、排出部分１０９を通って外部に排出され得る。
【０３１１】
図５は、本発明の一実施形態による、ファンハウジングおよび電気部品を支持するためのプレート４５１を示す斜視図であり、図６は、本発明の一実施形態による加湿フィルタモータ、モータブラケット、および加湿フィルタ駆動ギヤを示す分解斜視図であり、図７は、本発明の一実施形態によるハウジングフロントカバーを示す斜視図であり、図８は、図１の線Ｋ−Ｋ’に沿った拡大断面図である。
【０３１２】
図５〜図８を参照すると、ファンハウジング４１０は、空気がファンハウジング４１０の中心に流入する開口部であるファン吸気口４１５を含む。
【０３１３】
ファン吸気口４１５は、ファンモータ４８５の中心を取り囲むファンモータ収容体４８５ａと、ファンモータ収容体４８５ａから半径方向または円周方向に延在する吸気ガイドリブと、を含んでもよい。
【０３１４】
ファンモータ収容体４８５ａは、ファン吸気口４１５の中心から後方に延在してもよい。例えば、ファンモータ収容体４８５ａは、ボウル形状に形成されてもよい。
【０３１５】
ファンモータ４８５は、ファンモータ収容体４８５ａに取り付けられてもよい。言い換えると、ファンモータ４８５は、ファンハウジング４１０の後面に結合することができる。したがって、ファンモータ４８５は、ファン吸気口４１５の中心に配置されてもよい。その結果、ファンモータ４８５およびファンモータ４８５に結合された送風ファン４８０は、ファン吸気口４１５の中心に配置されてもよい。
【０３１６】
吸気ガイドリブは、ユーザの手が送風ファン４８０に入るのを防ぐことができる。
【０３１７】
電気部品を支持するためのプレート４５１は、ファンハウジング４１０の上端部に結合されてもよい。例えば、電気部品を支持するためのプレート４５１は、ファンハウジング４１０の上端部で前方に斜めに延在してもよい。この場合、全長プレート４５１は、ファンハウジング４１０の一体部分を形成してもよい。
【０３１８】
電気部品を支持するためのプレート４５１の両端部には、下方に延在する締結突起４５９が形成されてもよい。締結突起４５９は、本体フレーム１１０の両側面に締結されるように設けられてもよい。
【０３１９】
ファンハウジング４１０には、排出部分１０９に流入する空気から不純物を除去するように機能するイオナイザ４１３ａが設けられてもよい。
【０３２０】
言い換えると、ファンハウジング４１０は、イオナイザ４１３ａがそれに結合されるようにガイドするためのイオナイザリブ４１３をさらに含んでもよい。
【０３２１】
イオナイザリブ４１３は、ファンハウジング４１０の前面から前方に延在しており、イオナイザ４１３ａの外面を取り囲んでいる。
【０３２２】
さらに、ファンハウジング４１０の前面は、イオナイザリブ４１３の内側に孔を形成してもよい。イオナイザ４１３ａは、送風ファン４８０を通って排出部分１０９に流れる空気にイオンを供給してもよい。
【０３２３】
ファンハウジング４１０は、水車モータ３５３に電力を供給するための電線が挿入されるハーネスリブ４１２、イオナイザ４１３ａ、ファンモータ４８５などをさらに含む。
【０３２４】
ハーネスリブ４１２は、ファンハウジング４１０の前面から前方に突出し、ハーネスリブ４１２間に電線が挿入されてもよい。
【０３２５】
さらに、ファンハウジング４１０は、ファン吸気口４１５の外側に配置されたモータカバー４１７、４１８をさらに含んでもよい。
【０３２６】
上述したように、ファン吸気口４１５の外側は、ファン吸気口４１５の中心から半径方向にファン吸気口４１５の半径よりも大きい距離に位置する点として定義されてもよい。
【０３２７】
言い換えると、モータカバー４１７、４１８は、水車モータ３５３の下方部分をファン吸気口４１５の外側から遮蔽することができる。
【０３２８】
詳細には、モータカバー４１７、４１８は、直線状に延在する第１のモータカバー４１７と、第１のモータカバー４１７から弧状に延在する第２のモータカバー４１８と、を含んでもよい。
【０３２９】
第１のモータカバー４１７は、ファンハウジング４１０の前面から前方に延在するプレートによって形成されてもよい。例えば、第１のモータカバー４１７は、ファンハウジング４１０の前面から垂直に延在する平面を形成してもよい。
【０３３０】
第１のモータカバー４１７は、ファン吸気口４１５の外側に配置されてもよい。
【０３３１】
さらに、第１のモータカバー４１７は、水車モータ３５３を固定するために、水車モータ３５３およびモータブラケット３５４の下方に配置されてもよい。
【０３３２】
第２のモータカバー４１８は、第１のモータカバー４１７の一端から斜めに延在してもよい。言い換えると、第２のモータカバー４１８は、ファンハウジング４１０の前面から前方に延在するように形成されてもよい。
【０３３３】
第２のモータカバー４１８は、ファン吸気口４１５の外周（周囲）に沿って延在してもよい。例えば、第２のモータカバー４１８は、ファン吸気口４１５の外周の曲率に対応するように丸くされてもよい。
【０３３４】
モータカバー４１７、４１８によれば、ドアアセンブリ２００が引き出された場合に、水車モータ３５３およびモータブラケット３５４へのユーザの手のアクセスをブロックすることができる。
【０３３５】
さらに、モータカバー４１７、４１８は、水車モータ３５３およびモータブラケット３５４を下方から遮蔽し、ファン吸気口４１５を通して駆動ノイズが外部に漏れるのを防ぐ。
【０３３６】
さらに、モータカバー４１７、４１８は、後述するモータケース４２５の切断端部４２６によって画定される切開空間４２３に対応するように形成されてもよい。
【０３３７】
ファンハウジング４１０は、水車モータ３５３を結合するための締結シャフト４１９をさらに含んでもよい。
【０３３８】
締結シャフト４１９は、ファンハウジング４１０の前面から前方に延在してもよい。例えば、締結シャフト４１９は、所定の直径を有する円が前方に延在する円筒状に形成されてもよい。
【０３３９】
複数の締結シャフト４１９が形成されてもよい。この場合、後述するルーバ３５４ｂは、締結シャフト４１９の数に対応する数だけ設けられてもよい。
【０３４０】
さらに、締結シャフト４１９は、モータカバー４１７、４１８の上方に配置されてもよい。
【０３４１】
上述のように、加湿空気清浄機１０は、水車モータ３５３をファンハウジング４１０に結合するモータブラケット３５４をさらに含む。
【０３４２】
水車モータ３５３は、モータブラケット３５４によってファンハウジング４１０の前面に結合することができる。例えば、締結シャフト４１９は、モータブラケット３５４の外面に挿入することができる。
【０３４３】
モータブラケット３５４は、ファン吸気口４１５の外側に配置されてもよい。例えば、モータブラケット３５４は、ファン吸気口４１５の上方でファンハウジング４１０の前面に結合することができる。
【０３４４】
水車モータ３５３は、モータブラケット３５４の後面に結合されてもよい。モータブラケット３５４は、水車モータ３５３のシャフト３５３ａがモータブラケット３５４を貫通するように、中心に孔を形成してもよい。
【０３４５】
モータブラケット３５４を前方に貫通する水車モータ３５３のシャフト３５３ａは、駆動ギヤ３５５のモータシャフト結合孔３５６ａに結合することができる。
【０３４６】
言い換えると、水車モータ３５３は、モータブラケット３５４の後方に配置され、駆動ギヤ３５５は、モータブラケット３５４の前方に配置することができる。
【０３４７】
モータブラケット３５４は、外面に沿って外側に突出するルーバガイド３５４ａを含んでもよい。
【０３４８】
ルーバガイド３５４ａは、モータブラケット３５４の半径方向にモータブラケット３５４の外面から突出してもよい。さらに、ルーバガイド３５４ａは、丸みのある形状で内側に凹むように延在してもよい。例えば、ルーバガイド３５４ａは、片側に開いた「Ｃ」字形に形成されてもよい。
【０３４９】
ルーバガイド３５４ａは、ファンハウジング４１０の締結シャフト４１９と結合することができる。例えば、締結シャフト４１９は、ルーバガイド３５４ａの内側に凹んだ空間に結合することができる。
【０３５０】
より詳細には、モータブラケット３５４は、締結シャフト４１９と結合するルーバ３５４ｂをさらに含んでもよい。
【０３５１】
ルーバ３５４ｂは、ルーバガイド３５４ａに嵌合することができる。例えば、ルーバ３５４ｂは、外周面に沿って中心に向かって凹んだルーバ溝３５４ｃを形成してもよい。
【０３５２】
ルーバ溝３５４ｃは、ルーバガイド３５４ａの内側に凹んだ空間に挿入され、ルーバガイド３５４ａに嵌合されてもよい。
【０３５３】
ルーバ３５４ｂは、締結シャフト４１９が貫通するルーバ孔３５４ｄを形成してもよい。ルーバ孔３５４ｄは、締結シャフト４１９が前後方向に貫通できるように形成されてもよい。
【０３５４】
言い換えると、締結シャフト４１９は、ルーバ孔３５４ｄに挿入されて貫通し、ルーバ３５４ｂと結合されてもよい。
【０３５５】
モータブラケット３５４が水車モータ３５３をファンハウジング４１０の前面に固定できるように、ルーバ３５４ｂの外面はルーバガイド３５４ａに嵌合されている。
【０３５６】
ルーバ３５４ｂは、弾性を有する材料で形成されてもよい。したがって、ルーバ３５４ｂは、水車モータ３５３の動作による振動を吸収することができる。その結果、水車モータ３５３の動作により発生する振動がルーバ３５４ｂで吸収され、振動がファンハウジング４１０に伝達されるという問題を防止することができる。
【０３５７】
言い換えると、モータブラケット３５４の構成によれば、水車モータ３５３の振動およびノイズを低減することができる。
【０３５８】
一方、送風ファン４８０に駆動力を提供するファンモータ４８５は第１のモータと呼ばれる場合があり、水車に駆動力を提供する水車モータ３５３は第２のモータと呼ばれる場合がある。
【０３５９】
上述したように、ハウジングアセンブリ４００は、ファンハウジング４１０の前面を覆うハウジングフロントカバー４２０をさらに含んでもよい。
【０３６０】
ハウジングフロントカバー４２０は、水車モータ３５３およびモータブラケット３５４を前方から覆うようにファンハウジング４１０に結合されてもよい。
【０３６１】
言い換えると、ハウジングフロントカバー４２０は、ファンハウジング４１０の前方に配置されてもよい。
【０３６２】
一方、ハウジングカバー４３０は、ハウジングカバーがファンハウジング４１０の後部に結合されているため、第１のカバーと呼ばれる場合があり、ハウジングフロントカバー４２０は、ハウジングフロントカバーがファンハウジング４１０の前部に結合されているため、第２のカバーと呼ばれる場合がある。
【０３６３】
ハウジングフロントカバー４２０は、中央のファン吸気口４１５に対応する領域で開口するカバー開口部４１５ａを形成してもよい。
【０３６４】
カバー開口部４１５ａは、ファン吸気口４１５の前方に配置されてもよい。カバー開口部４１５ａは、ファン吸気口４１５の周囲に沿って接触してもよい。例えば、カバー開口部４１５ａは、ファン吸気口４１５の周囲に接触する円の形態で設けられてもよい。
【０３６５】
一方、カバー開口部４１５ａの１つの上端部には、所定の弧長で切断された切開部分を形成することができる。言い換えると、カバー開口部４１５ａの切開部分は、円周方向に離間した空間を形成してもよい。さらに、後述するモータケース４２５の切断端部４２６は、切開部分から前方に延在するように形成されてもよい。
【０３６６】
ハウジングフロントカバー４２０は、前方に凹んだモータケース４２５をさらに含んでもよい。
【０３６７】
モータケース４２５は、ハウジングフロントカバー４２０の片側に形成されてもよい。例えば、モータケース４２５は、ハウジングフロントカバー４２０の後面から前方に凹んでいてもよい。
【０３６８】
モータケース４２５は、水車モータ３５３、モータブラケット３５４、および駆動ギヤ３５５が配置される位置に対応するように凹んでいてもよい。例えば、モータケース４２５は、ボウルの形態でハウジングフロントカバー４２０の前面から突出してもよい。
【０３６９】
言い換えると、水車モータ３５３、モータブラケット３５４、および駆動ギヤ３５５は、モータケース４２５の凹状空間に配置されてもよい。モータケース４２５は、水車モータ３５３、モータブラケット３５４、および駆動ギヤ３５５を前方から遮蔽してもよい。
【０３７０】
モータケース４２５には、カバー開口部４１５ａの切開部分と連通する空間４２３を形成する切断端部４２６が形成されてもよい。言い換えると、切断端部４２６は、モータケース４２５の下部部分に開口部を形成してもよい。
【０３７１】
切断端部４２６は、モータケース４２５の前面の下端部が前方に向かって丸く開口するように形成されてもよい。
【０３７２】
さらに、切断端部４２６は、カバー開口部４１５ａの切断部分に対応するように、モータケース４２５の一方の側面を下方向またはカバー開口部４１５ａの方向に開放してもよい。
【０３７３】
言い換えると、切断端部４２６は、カバー開口部４１５ａの切開部分の一点から前方に延在し、外側にかつ弓状に延在して、その点で曲線を描く。
【０３７４】
言い換えると、モータケース４２５の下部部分には、切断端部４２６によって前方かつ下方に開口する空間４２３が画定されてもよい。
【０３７５】
空間４２３の一部は、上記のモータカバー４１７、４１８によって遮蔽することができる。言い換えると、切断端部４２６は、モータカバー４１７、４１８が配置される空間４２３を画定してもよい。
【０３７６】
言い換えると、ハウジングフロントカバー４２０がファンハウジング４１０に結合される場合、モータカバー４１７、４１８は、モータケース４２５の開放された下面に配置されてもよい。
【０３７７】
ここで、モータカバー４１７、４１８とモータケース４２５は、それらの間に空間を画定してもよい（図８参照）。
【０３７８】
詳細には、モータカバー４１７、４１８は、モータケース４２５の切断端部４２６から離間した点まで前方に延在してもよい。したがって、モータカバー４１７、４１８の前端部は、モータケース４２５の後面から後方に離間されてもよい。
【０３７９】
モータカバー４１７、４１８とモータケース４２５との間の空間は、駆動ギヤ３５５が露出する露出空間として画定されてもよい。
【０３８０】
言い換えると、空間４２３は、駆動ギヤ３５５の下部部分を水車に取り付けられたフィルタギヤ３３８と係合させるための露出空間を含んでもよい。したがって、駆動ギヤ３５５は、モータケース４２５と干渉することなく、フィルタギヤ３３８と係合した状態で回転することができる。
【０３８１】
さらに、ハウジングフロントカバー４２０には、ドアアセンブリ２００がキャビネット１００内に完全に押し込まれた場合に、ドアアセンブリ２００の後端部との接触によりドアアセンブリ２００に選択的に電力を接続するためのコンタクトホール４１１ａが形成されてもよい。
【０３８２】
コンタクトホール４１１ａは、ハウジングフロントカバー４２０の下部前面に形成されてもよい。ファンハウジング４１０の前面には、コンタクトホール４１１ａに対応する位置に電気的に接続するためのスイッチが設けられてもよい。
【０３８３】
さらに、ハウジングフロントカバー４２０は、上述の殺菌装置の電源を接続するための殺菌装置コネクタ２６９ａをさらに含んでもよい。
【０３８４】
殺菌装置コネクタ２６９ａは、ハウジングフロントカバー４２０の下端部中央に配置されてもよい。さらに、殺菌装置コネクタ２６９ａは、殺菌装置の後端部と係合するように後方に凹んでいてもよい。
【０３８５】
図９は、本発明の一実施形態による加湿器フィルタアセンブリと水槽との組み合わせ状態を示す斜視図であり、図１０は、本発明の一実施形態による水槽を示す斜視図である。
【０３８６】
図９および図１０を参照すると、加湿フィルタアセンブリ３００は、水容器２７０が水槽内に着座する水容器台座面２６１ｓの背後に配置されてもよい。加湿フィルタアセンブリ３００は、その下部部分が第２の貯水部分２２９に浸漬するように水槽２６０に挿入されてもよい。
【０３８７】
加湿フィルタアセンブリ３００は、加湿フィルタケース３１０を含む。
【０３８８】
加湿フィルタケース３１０には、ハンドル部分３１１が形成されている。詳細には、ハンドル部分３１１は、ユーザの手が加湿フィルタケース３１０の上部部分を容易に把持できるように、加湿フィルタケース３１０の上部部分に形成されてもよい。例えば、ハンドル部分３１１は、加湿フィルタケース３１０の前面の一部を後方に凹ませるまたは開放することにより形成されてもよい。
【０３８９】
したがって、ユーザは、ハンドル部分３１１によって形成された空間に手を挿入することにより、加湿フィルタアセンブリ３００を容易に把持することができる。したがって、加湿フィルタアセンブリ３００は、水槽２６０に容易に分離または挿入することができる。
【０３９０】
さらに、加湿フィルタケース３１０には、空気が加湿フィルタ３３０に流入できるように前後方向に開口する吸気開口部３１８が形成されている。
【０３９１】
吸気開口部３１８は、加湿フィルタケース３１０の中央の加湿フィルタ３３０の前面に対応するように形成されてもよい。例えば、吸気開口部３１８は、加湿フィルタ３３０の半径以上の半径を有するように形成されてもよい。
【０３９２】
吸気開口部３１８の中心は、加湿フィルタ３３０の中心と直線上に位置してもよい。したがって、吸気開口部３１８に流入する空気は、加湿フィルタ３３０を通過することができる。
【０３９３】
加湿フィルタケース３１０は、加湿フィルタユニット３２０の前面を支持するための支持突起３１８ａを含んでもよい。
【０３９４】
支持突起３１８ａは、加湿フィルタケース３１０の後面から後方に突出するように形成されてもよい。例えば、支持突起３１８ａは、加湿フィルタユニット３２０の前面の下面に接触するように延在してもよい。支持突起３１８ａの延長端部部分は、回転する加湿フィルタユニット３２０を安定的に支持するために、鈍い曲面で形成されてもよい。
【０３９５】
支持突起３１８ａは、加湿フィルタケース３１０の後面の下方に位置してもよい。例えば、支持突起３１８ａは、加湿フィルタケースの最下端部３１６ａの上側に離間するように配置されてもよい。支持突起３１８ａは、後述する第１の外側フレーム３２１ｂの下部前端部に接触するように配置されてもよい。
【０３９６】
上述したように、水槽２６０は、水容器２７０を受け入れる外観を形成する水槽ケース２６１を含む。
【０３９７】
水槽ケース２６１は、加湿フィルタケース３１０が取り付けられる係合部分２６４をさらに含んでもよい。
【０３９８】
係合部分２６４は、加湿フィルタアセンブリ３００が第２の貯水部分２２９に容易に挿入されるようにガイドすることができる。
【０３９９】
係合部分２６４は、水槽ケース２６１の両方の上端部に対して対称に形成されてもよい。係合部分２６４は、加湿フィルタケース３１０の両側面に対応する形状に形成されてもよい。例えば、加湿フィルタケース３１０の段差部分３１４が「┐」形状に形成される場合には、係合部分２６４は「└」形状に凹んでもよい。言い換えると、係合部分２６４は、段差部分３１４の形状に沿った形状に形成されてもよい。
【０４００】
係合部分２６４は、加湿フィルタケース３１０の段差部分３１４に形成された溝に挿入される段付き突起２６４ａを形成してもよい。例えば、段付き突起２６４ａは、係合部分２６４から上方に突出してもよい。
【０４０１】
加湿フィルタケース３１０の最下点３１０ａは、第２の貯水部分２２９を形成する水槽ケース２６１の底面から上方に離間してもよい。
【０４０２】
言い換えると、係合部分２６４の高さは、加湿フィルタケース３１０の最下点３１０ａから段差部分３１４までの垂直距離よりも高くてもよい。したがって、加湿フィルタケース３１０の最下点３１０ａは、第２の貯水部分２２９の底面よりも高く配置されてもよい。
【０４０３】
一方、水槽ケース２６１には、水容器２７０の底面が取り付けられる水容器台座面２６１ｓが形成されてもよい。水容器台座面２６１ｓは、平坦な面として形成されてもよい。
【０４０４】
水容器台座面２６１ｓは、貯水部分２６２ａ、２２９よりも高い位置に形成することができる。
【０４０５】
水槽ケース２６１は、水容器台座面２６１ｓの周囲に沿って上方に延在し、水容器台座面２６１ｓと段差を形成する台座端部２６１ａをさらに含んでもよい。
【０４０６】
台座端部２６１ａは、水容器２７０の下部周囲に接触して、水容器２７０を安定して固定する。
【０４０７】
水容器台座面２６１ｓは、第２の貯水部分２２９を画定する水槽ケース２６１の底面よりも高い位置に形成されてもよい。
【０４０８】
詳細には、水槽２６０は、水容器台座面２６１ｓの中心から下向きに凹んだフロート収容部分２６２をさらに含んでもよい。上述したフロート装置５００は、フロート収容部分２６２に取り付けられてもよい。
【０４０９】
フロート装置５００は、その半径が相対的に拡大するように形成された外面を有してもよい。フロート装置５００の外面は、バルブ装置２７６が水容器２７０の底面に形成された孔を開くと、落下する水の流れ方向を半径方向にガイドすることができる。
【０４１０】
フロート収容部分２６２は、水が貯蔵される貯水空間を形成することができる。第１の貯水部分２６２ａ、２６３は、フロート収容部分２６２により形成される貯水空間として理解することができる。したがって、水が落ちる間に発生する給水ノイズを低減することができる。
【０４１１】
第２の貯水部分２２９は、第１の貯水部分２６２ａ、２６３から後方に延在する貯水空間として理解することができる。
【０４１２】
上述したように、第１の貯水部分２６２ａ、２６３および第２の貯水部分２２９をまとめて「貯水部分」と呼ぶ場合がある。
【０４１３】
貯水部分の最大高さＨ１は、その最大幅Ｈ２より小さくてもよい。したがって、貯水部分の貯水能力を適切なレベルに確保しつつ、水容器２７０から下方に落下する水の落下距離を比較的小さくすることができる。したがって、給水ノイズを最小限に抑えることができる。
【０４１４】
貯水部分の最大高さは、第１の底部部分２６２ａ、２６３の最大高さに等しい。第１の貯水部分２６２ａの最大高さＨ１は、第１の貯水部分２６２ａの底部を画定する水槽ケース２６１の底面から水容器台座面２６１ｓまでの垂直距離として定義されてもよい。
【０４１５】
言い換えると、第１の貯水部分２６２ａの最大高さＨ１は、水槽２６０の最下点から水容器２７０の下端部に接触する水容器台座面２６１ｓまで引いた垂線の長さとして定義されてもよい。
【０４１６】
貯水部分の最大幅Ｈ２は、第１の貯水部分２６２ａの前端部から第２の貯水部分の後端部までの水平距離として定義されてもよい。言い換えると、第１の貯水部分２６２ａの最大高さＨ１は、第１の貯水部分２６２ａと第２の貯水部分２２９とによって形成される最大幅Ｈ２よりも小さくてもよい。
【０４１７】
言い換えると、第１の貯水部分２６２ａと第２の貯水部分２２９とによって形成される最大幅Ｈ２は、第１の貯水部分の最前部（または最も前部）に位置する点から第２の貯水部分の最後部に位置する点まで引かれる垂線の長さとして定義されてもよい。
【０４１８】
水容器２７０に貯蔵された水は、水容器台座面２６１ｓの下方に位置する第１の貯水部分２６２ａ、２６３に流れ込んでもよい。
【０４１９】
第１の貯水部分２６２ａに流れ込んだ水は、第２の貯水部分２２９に流れてもよい。このとき、第１の貯水部分２６２ａ、２６３と第２の貯水部分２２９とは同じ水位を形成してもよい。
【０４２０】
言い換えると、第１の貯水部分２６２ａの底面は、第２の貯水部分２２９の底面と同一面上にあってもよい。したがって、水容器２７０から提供される水は、第１の貯水部分と第２の貯水部分とで同じ水位を維持することができる。
【０４２１】
これにより、水容器２７０から第１および第２の貯水部分への給水過程で発生する給水ノイズを最小に抑えることができる。
【０４２２】
一方、水槽２６０は、その前縁部の中央が下方に凹むように形成されてもよい。水槽２６０の凹んだ前縁部は、前部切開部分２６５と呼ばれる場合がある。
【０４２３】
前部切開部分２６５は、ユーザが水槽２６０から水容器２７０を容易に引き出すことを可能にするために設けられてもよい。
【０４２４】
図１１は、本発明の一実施形態による加湿フィルタアセンブリの後部斜視図であり、図１２は、本発明の一実施形態による加湿フィルタアセンブリの縦断面図であり、図１３は、本発明の一実施形態による加湿フィルタアセンブリの構成を示す分解斜視図であり、図１４は、本発明の一実施形態による加湿フィルタケースの構成を示す斜視図である。
【０４２５】
図１１〜図１４を参照すると、加湿フィルタアセンブリ３００は、加湿フィルタ３３０が装着される加湿フィルタユニット３２０、加湿フィルタユニット３２０を前方から支持する加湿フィルタケース３１０、および加湿フィルタユニット３２０を後方から支持するシャフト支持体３１５を含む。
【０４２６】
上述したように、加湿フィルタ３３０、加湿フィルタユニット３２０、および収集部分３３２は、「水車」と呼ばれる場合がある。加湿水は、水槽２６０に貯えられた水を含むように回転させることができる。
【０４２７】
加湿フィルタユニット３２０および加湿フィルタユニット３２０に取り付けられた加湿フィルタ３３０は、加湿フィルタケース３１０とシャフト支持体３１５との間に配置されてもよい。
【０４２８】
言い換えると、シャフト支持体３１５と加湿フィルタケース３１０は、加湿フィルタユニット３２０が配置される空間を形成してもよい。
【０４２９】
加湿フィルタケース３１０とシャフト支持体３１５とは、一体に形成されてもよい。例えば、シャフト支持体３１５は、加湿フィルタケース３１０の下部後端部から上方に延在してもよい。
【０４３０】
加湿フィルタケース３１０の前面は、加湿フィルタケース３１０の下端部が下方に凸状に丸くなるように形成されてもよい。加湿フィルタケース３１０の最下点３１０ａは、加湿フィルタケース３１０の下端部分を二分する中点に位置してもよい。
【０４３１】
加湿フィルタケース３１０の最下点３１０ａは、第２の貯水部分２２９に浸漬するように配置されてもよい。最下点３１０ａは、底面開口部３１６ａの一部を形成してもよい。
【０４３２】
加湿フィルタケース３１０は、上面３１２、側面３１３、および前面の周囲に沿って後方に延在する底面３１６を含む。したがって、加湿フィルタケース３１０は、上面３１２、側面３１３、および底面３１６によって加湿フィルタ３３０が配置され得る内部空間を形成することができる。
【０４３３】
加湿フィルタケース３１０の上面３１２は、加湿フィルタケース３１０の上端部から後方に向かって垂直に延在してもよい。
【０４３４】
加湿フィルタケース３１０の側面３１３は、上面３１２の両端部からそれぞれ下方に延在してもよい。例えば、側面３１３は、上面３１２から垂直に延在してもよい。
【０４３５】
ここで、上面３１２の一端部から延在する側面３１３を第１の側面と呼び、上面３１２の他端部から延在する側面３１３を第２の側面と呼ぶ場合がある。
【０４３６】
加湿フィルタケース３１０の底面３１６は、側面３１３の下端部から下方に弧状に延在してもよい。
【０４３７】
言い換えると、底面３１６の延在方向を下向きに傾斜させることができる。例えば、底面３１６は、凹状の曲面として形成されてもよい。
【０４３８】
底面３１６は、第２の貯水部分２２９の水が流れる底面開口部３１６ａを形成してもよい。
【０４３９】
第１の側面から延在する第１の底面と、第２の側面から延在する第２の底面とは、互いに反対方向、すなわち内側方向に延在してもよい。第１の底面と第２の底面は、互いに離間して形成されてもよい。
【０４４０】
底面開口部３１６ａは、第１の底面および第２の底面から離間した空間として理解することができる。
【０４４１】
最下点３１０ａは、底面開口部３１６ａの下方に位置してもよい。
【０４４２】
さらに、最下点３１０ａは、第２の貯水部分２２９を画定する水槽ケース２６１の底面の上方に位置してもよい。したがって、第１の貯水部分２６３の水は、最下点３１０ａの下方に連通する空間を通って第２の貯水部分２２９に流れ込んでもよい。
【０４４３】
加湿フィルタアセンブリ３００は、互いに係合するように水槽２６０の両側に挿入されてもよい。詳細には、加湿フィルタケース３１０の側面３１３は、内側に曲がって延在する段差部分３１４を含んでもよい。
【０４４４】
段差部分３１４は、側面３１３の下方に設けられてもよい。したがって、加湿フィルタケース３１０の底面３１６は、段差部分３１４から延在してもよい。段差部分３１４は、水槽２６０に形成された係合部分２６４に着座してもよい。
【０４４５】
シャフト支持体３１５は、加湿フィルタケース３１０から分離されるように形成されてもよい。例えば、シャフト支持体３１５は、段差部分３１４および底面３１６に対応する形状を有するように、側面および底面を形成してもよい。
【０４４６】
この場合、シャフト支持体３１５は、段差部分３１４と底面３１６に挿入されて、加湿フィルタケース３１０と結合されてもよい。シャフト支持体３１５は、シャフト支持体３１５の両側面の後端部と底面の後端部とを接続するように上方に延在してもよい。
【０４４７】
シャフト支持体３１５は、上方に延在して、加湿フィルタユニット３２０を後部から支持してもよい。
【０４４８】
詳細には、シャフト支持体３１５は、加湿フィルタユニット３２０の中心シャフト３３５に向かって所定の幅だけ上方に延在してもよい。例えば、シャフト支持体３１５は、前から見た場合にトライデント形状に形成されてもよい。
【０４４９】
シャフト支持体３１５は、中心シャフト３３５が回転可能に着座する着座溝３１５ａを有する。
【０４５０】
着座溝３１５ａは、シャフト支持体３１５の上端部分を下向きに丸くするように凹んで形成されてもよい。
【０４５１】
シャフト支持体３１５は、その下端部に形成された切開ポート３１５ｂを有してもよい。切開ポート３１５ｂは、シャフト支持体３１５の下端部に半円形の開口部を形成してもよい。
【０４５２】
切開ポート３１５ｂは、底面開口部３１６ａに沿って描かれた仮想平面に垂直な開口部を形成してもよい。
【０４５３】
加湿フィルタユニット３２０は、シャフト支持体３１５の前方に配置されてもよい。言い換えると、シャフト支持体３１５は、加湿フィルタユニット３２０を後方から支持することができる。
【０４５４】
したがって、シャフト支持体３１５は、加湿フィルタユニット３２０および加湿フィルタ３３０を後方から支持することができる。
【０４５５】
加湿フィルタ３３０を後方から支持するシャフト支持体３１５は、前方から吸気開口部３１８に流入する空気をブロックしないので、加湿フィルタ３３０の取り入れ面積を比較的広くすることができる。言い換えると、シャフト支持体３１５は、前方の加湿フィルタの中心シャフト３３５を支持する場合よりも空気の取り入れ面積を最大化することができる。
【０４５６】
さらに、シャフト支持体３１５は、反対方向の空気の流れにより後方に押される加湿フィルタユニット３２０を支持するので、加湿フィルタユニット３２０の振動を低減するという利点を有する。
【０４５７】
一方、加湿フィルタアセンブリ３００は、加湿フィルタユニット３２０の回転を支持するための中心シャフト３３５をさらに含む。中心シャフト３３５は、加湿フィルタユニット３２０の中心部分に配置されてもよい。また、中心シャフト３３５は、水車の中心シャフトとして理解されてもよい。
【０４５８】
上述したように、加湿フィルタアセンブリ３００は、貯水部分２６２ａ、２２９の水を汲み上げるための収集部分３３２をさらに含んでもよい。
【０４５９】
収集部分３３２は、水車の回転により第２の貯水部分２２９に貯められた水を汲み上げるので、収集部分３３２をリフタと呼ぶことができる。
【０４６０】
収集部分３３２は、第２の貯水部分２２９において、加湿フィルタケース３１０の段差部分３１４と底面３１６とによって形成される縁部の下方に位置するように回転させることができる。さらに、収集部分３３２は、加湿フィルタケース３１０の最下点３１０ａの上方で回転することができる。
【０４６１】
加湿フィルタユニット３２０は、加湿フィルタ３３０を両方向に固定するための第１のフレーム３２１および第２のフレーム３２２を含む。
【０４６２】
第１のフレーム３２１は、加湿フィルタ３３０を前部で固定し、第２のフレーム３２２は、加湿フィルタ３３０を後部で固定することができる。
【０４６３】
第２のフレーム３２２には、その後側にフィルタギヤ３３８が設けられてもよい。
【０４６４】
一方、第１のフレーム３２１をフィルタ支持部分と呼ぶ場合があり、第２のフレーム３２２をフィルタギヤ支持部分と呼ぶ場合がある。
【０４６５】
加湿フィルタ３３０は、第１のフレーム３２１と第２のフレーム３２２との間に挿入されるように配置されてもよい。例えば、加湿フィルタ３３０は、第１のフレーム３２１および第２のフレーム３２２に結合されることにより、水槽２６０の底面に固定されてもよい。
【０４６６】
第１のフレーム３２１は、加湿フィルタケース３１０の吸気開口部３１８と干渉しないように加湿フィルタ３３０の外周から半径方向に延在する第１の外側フレーム３２１ｂと、加湿フィルタ３３０を前方から押圧する第１のフィルタフレーム３２１ａと、を含む。
【０４６７】
第１の外側フレーム３２１ｂは、その内径が吸気開口部３１８の直径以上となるように形成されてもよい。したがって、第１の外側フレーム３２１ｂは、吸気開口部３１８に流入する空気の流れに干渉しないように設けられてもよい。
【０４６８】
第１のフィルタフレーム３２１ａは、中心シャフト３３５から第１の外側フレーム３２１ｂまで半径方向に延在してもよい。例えば、第１のフィルタフレーム３２１ａは、複数の孔を有するメッシュ状に形成されてもよい。さらに、複数の孔の各々は六角形の形状を有してもよい。
【０４６９】
第２のフレーム３２２は、第１のフレーム３２１の後側に結合することができる。
【０４７０】
さらに、第２のフレーム３２２は、第１のフレーム３２１に対応する構成で第２の外側フレーム３２２ｂおよび第２のフィルタフレーム３２２ａを含んでもよい。
【０４７１】
第２の外側フレーム３２２ｂおよび第２のフィルタフレーム３２２ａの構造の説明は、第１の外側フレーム３２１ｂおよび第１のフィルタフレーム３２１ａの説明を利用可能にする。
【０４７２】
第１のフレーム３２１および第２のフレーム３２２は、まとめて「フレーム」と呼ばれる場合がある。さらに、第１の外側フレーム３２１ｂおよび第２の外側フレーム３２２ｂをまとめて「外側フレーム」と呼ばれる場合がある。同様に、第１のフィルタフレーム３２１ａおよび第２のフィルタフレーム３２２ａは、まとめて「フィルタフレーム」と呼ばれる場合がある。
【０４７３】
第２の外側フレーム３２２ｂは、第１の外側フレーム３２１ｂの背後に配置されてもよい。第２の外側フレーム３２２ｂと第１の外側フレーム３２１ｂは対称であってもよい。
【０４７４】
第２のフィルタフレーム３２２ａは、複数の孔が形成されたメッシュ形状を有してもよい。したがって、第２のフィルタフレーム３２２ｂは、加湿フィルタ３３０を後方から押圧することができる。
【０４７５】
中心シャフト３３５は、第２のフレーム３２２の中心、すなわちフィルタフレーム３２１ｂの中心に結合されてもよい。
【０４７６】
加湿フィルタユニット３２０は、外側フレーム３２１ｂ、３２２ｂの一点で垂直に延在する収集リブ３２５をさらに含む。
【０４７７】
収集リブ３２５は、外側フレーム３２１ｂ、３２２ｂの内周面から垂直に延在してもよい。
【０４７８】
詳細には、収集リブ３２５は、第１の外側フレーム３２１ｂおよび第２の外側フレーム３２２ｂのいずれか一方の内周面から垂直に延在し、他方の内周面に接触してもよい。例えば、収集リブ３２５は、第１の外側フレーム３２１ｂの後面から垂直に延在し、第２の外側フレーム３２２ｂの前面に接触してもよい。
【０４７９】
収集リブ３２５が形成される外側フレームは、第１の外側フレーム３２１ｂに限定されない。例えば、収集リブ３２５は、第２の外側フレーム３２２ｂから延在してもよい。
【０４８０】
収集リブ３２５は、外側フレーム３２１ｂ、３２２ｂの中央部分に円周方向に沿って延在するように形成されてもよい。詳細には、収集リブ３２５は、外側フレーム３２１ｂ、３２２ｂの外径と内径との間で、外側フレーム３２１ｂ、３２２ｂの円周方向に沿って延在してもよい。
【０４８１】
さらに、第１のフレーム３２１、第２のフレーム３２２、および収集リブ３２５は、加湿フィルタユニット３２０の周囲に沿って凹んだ空間である流動溝３４１を形成することができる。
【０４８２】
詳細には、流動溝３４１は、第１の外側フレーム３２１ｂの後面、収集リブ３２５、および第２の外側フレーム３２２ｂの前面によって画定される凹状空間を形成することができる。ここで、収集リブ３２５は、流動溝３４１を画定するベース面を形成することができる。
【０４８３】
言い換えると、流動溝３４１は、第１の外側フレーム３２１ｂと第２の外側フレーム３２２ｂとの間に半径方向に開放された空間を形成することができる。したがって、流動溝３４１は、第２の貯水部分２２９に貯蔵された水を汲み上げるために水が流入する空間として理解することができる。
【０４８４】
流動溝３４１は、第２の貯水部分２２９に貯められた水を収集部分３３２に収集しやすいように導くことができる。
【０４８５】
収集部分３３２は、流動溝３４１の一部を遮蔽するように形成されてもよい。言い換えると、収集部分３３２は、半径方向に開いた面と遮蔽された面とが交互に流動溝３４１に沿って設けられるように形成されてもよい。したがって、収集部分３３２は、加湿フィルタユニット３２０の外周に沿って設けられてもよい。収集部分３３２の詳細については後述する。
【０４８６】
さらに、収集リブ３２５は、収集部分３３２と共に第２の貯水部分２２９から収容された水を加湿フィルタ３３０に流下させるようにガイドしてもよい。
【０４８７】
具体的には、複数の収集部分３３２のうちのいずれか１つの収集部分３３２は、流動溝３４１と共に第２の貯水部分２２９に水を収容することができる。さらに、加湿フィルタユニット３２０の回転により、いずれか１つの収集部分３３２が第２の貯水部分２２９の水面の上を移動する。
【０４８８】
収集部分３３２のうちの１つに収容された水は、加湿フィルタユニット３２０の回転により、流動溝３４１のベース面に沿って回転方向と逆方向に移動することができる。
【０４８９】
ここで、収集部分３３２のうちの１つの位置が中心シャフト３３５より高い場合には、重力の影響で収集リブ３２５に形成された落下孔３２６を通じて水が排出されてもよい。理想的には、水は、収集部分３３２のうちの１つが中心シャフト３３５よりも高い位置である第１の点から、第１の点から１８０度回転した位置である第２の点まで落下孔３２６を通って落ちることができる。
【０４９０】
したがって、落下孔３２６を通って下方に流れる水は、加湿フィルタ３３０を濡らすことができる。
【０４９１】
中心シャフト３３５は、加湿フィルタユニット３２０の中央部分に結合されてもよい。中心シャフト３３５は、シャフト支持体３１５によって支持されながら、時計回りまたは反時計回りに回転することができる。
【０４９２】
詳細には、中心シャフト３３５は、第２のフレーム３２２の中心に結合されてもよい。中心シャフト３３５は、第２のフレーム３２２の中心から後方に延在する円筒状に形成されてもよい。
【０４９３】
着座溝３１５ａは、中心シャフト３３５の外周面が着座するように形成されてもよい。したがって、中心シャフト３３５は、着座溝３１５ａから容易に回転することができる。
【０４９４】
一方、加湿フィルタ３３０および加湿フィルタユニット３２０は、上端部に向かって前方に傾斜するように配置されてもよい。
【０４９５】
言い換えると、加湿フィルタ３３０は、水槽２６０の底面から斜めに配置されてもよい。したがって、吸気開口部３１８から導入される空気の取り入れ面積を最大化することができる。
【０４９６】
加湿フィルタ３３０と加湿フィルタユニット３２０とが斜めに配置される場合、収集部分３３２は、第２の貯水部分２２９に貯蔵された水に傾斜して挿入され得る。
【０４９７】
したがって、収集部分３３２は、加湿フィルタユニット３２０の回転により第２の貯水部分２２９の水に斜めに挿入されるため、水との比較的大きな摩擦ノイズを発生させ得る垂直成分の力を低減することができる。したがって、収集部分３３２と第２の貯水部分２２９の水との摩擦ノイズを最小限に抑えることができる。
【０４９８】
詳細には、加湿フィルタユニット３２０の最上端部から加湿フィルタケース３１０までの最短距離Ｄ１は、加湿フィルタユニット３２０の最下端部から加湿フィルタケース３１０までの最短距離Ｄ２よりも短くてもよい。
【０４９９】
言い換えると、加湿フィルタケース３１０から水車の上端部までの垂直距離が、加湿フィルタケース３１０から水車の下端部までの垂直距離よりも短くなるように、水車を傾けてもよい。
【０５００】
言い換えると、水車は、その上端部が下端部に対してキャビネット１００内で前方に傾斜するように回転させて配置することができる。
【０５０１】
中心シャフト３３５は、第２の外側フレーム３２２ｂの中心に結合されてもよい。第２の外側フレーム３２２ｂの中心は、中心シャフト３３５の外面に対して傾斜するように結合されてもよい。
【０５０２】
言い換えると、中心シャフト３３５は、第２の外側フレーム３２２ｂの中心を斜めに結合するようにガイドするための溝を形成してもよい。中心シャフト３３５の溝は、外面に沿って斜めに凹むように形成されてもよい。したがって、第２の外側フレーム３２２ｂと結合される第１の外側フレーム３２１ｂおよび加湿フィルタ３３０は、斜めに配置されてもよい。
【０５０３】
中心シャフト３３５の軸線Ｏに垂直な仮想垂直線は、シャフト垂直線Ｏ１として定義することができる。
【０５０４】
第２の外側フレーム３２２ｂは、加湿フィルタ３３０がシャフト垂直線Ｏ１から所定の角度αだけ前方に傾斜するように、中心シャフト３３５に結合されてもよい。
【０５０５】
所定の角度αは、０〜５度の角度に設定されてもよい。
【０５０６】
第２の外側フレーム３２２ｂの後面に設けられたフィルタギヤ３３８は、所定の角度αが５度を超える場合に駆動ギヤ３５５と斜めに係合することができる。したがって、ギヤ歯の摩耗が比較的速くなる可能性があり、フィルタギヤ３３８と駆動ギヤ３５５との間の回転によるノイズが発生する可能性がある。
【０５０７】
もちろん、駆動ギヤ３５５は、フィルタギヤ３３８の傾きに対応する傾きで設けられてもよい。
【０５０８】
中心シャフト３３５は、斜めに結合された第２の外側フレーム３２２ｂの回転を容易にするためにベアリング（図示せず）を含んでもよい。
【０５０９】
ベアリングは、中心シャフト３３５と第２の外側フレーム３２２ｂとの結合部分に取り付けられてもよい。したがって、第２の外側フレームが軸線Ｏに沿って配置された中心シャフト３３５から傾斜して結合された場合でも、第２の外側フレーム３２２ｂを安定して回転させることができる。
【０５１０】
さらに、後述する複数のガイドローラ３５２、３５３により対角線が配置されている場合でも、加湿フィルタユニット３２０を安定して支持することができる。
【０５１１】
上述のように、加湿フィルタアセンブリ３００は、駆動ギヤ３５５と噛み合うフィルタギヤ３３８を含む。
【０５１２】
フィルタギヤ３３８は、駆動ギヤ３５５から動力を受けて、加湿フィルタユニット３２０を回転させる。
【０５１３】
詳細には、フィルタギヤ３３８は、第２の外側フレーム３２２ｂに沿って取り付けられてもよい。例えば、フィルタギヤ３３８は、第２の外側フレーム３２２ｂの後面に係合してもよい。したがって、フィルタギヤ３３８は、加湿フィルタ３３０を通過する空気の流れに干渉しないように配置されてもよい。
【０５１４】
フィルタギヤ３３８が回転すると、加湿フィルタユニット３２０とフィルタギヤ３３８に結合された加湿フィルタ３３０が一緒に回転することができる。
【０５１５】
加湿フィルタアセンブリ３００は、加湿フィルタユニット３２０を支持するためのガイドローラ３５１、３５２、３５３、３５４をさらに含む。
【０５１６】
ガイドローラ３５１、３５２、３５３、３５４は、加湿フィルタアセンブリ３００の内面に配置されてもよい。
【０５１７】
ここで、加湿フィルタアセンブリ３００の内面は、加湿フィルタケース３１０の後面とシャフト支持体３１５の前面とを含んでもよい。
【０５１８】
言い換えると、ガイドローラ３５１、３５２、３５３、３５４は、加湿フィルタケース３１０およびシャフト支持体３１５の内面に取り付けることができる。
【０５１９】
ガイドローラ３５１、３５２、３５３、３５４は、水車の前方で水車の回転をガイドするための前部ガイドローラ３５１、３５２と、水車の回転をガイドするための後部ガイドローラ３５３、３５４と、を含んでもよい。
【０５２０】
前部ガイドローラ３５１、３５２は、加湿フィルタユニット３２０の前面に接触しており、加湿フィルタユニット３２０の回転に沿って転動することができる。例えば、前側ガイドローラ３５１、３５２は、第１の外側フレーム３２１ｂの前面の上面に接触してもよい。
【０５２１】
前部ガイドローラ３５１、３５２は、加湿フィルタケース３１０の後面から後方に突出するように設けられてもよい。
【０５２２】
後方ガイドローラ３５３、３５４は、加湿フィルタユニット３２０の後面に接触し、加湿フィルタユニット３２０の回転に沿って転動することができる。例えば、後部ガイドローラ３５３、３５４は、第２の外側フレーム３２２ｂの下部後面と接触してもよい。
【０５２３】
後部ガイドローラ３５３、３５４は、シャフト支持体３１５の前面から前方に突出するように設けられてもよい。
【０５２４】
前方ガイドローラ３５１、３５２と後方ガイドローラ３５３、３５４は、加湿フィルタユニット３２０の前面と後面を支持することができる。詳細には、前部ガイドローラ３５１は、水車の前上部部分を支持し、後部ガイドローラ３５３、３５４は、水車の後下部部分を支持する。
【０５２５】
したがって、ガイドローラ３５１、３５２、３５３、３５４は、支持突起３１８ａと共に、斜めに配置された加湿フィルタユニット３２０の回転を安定して支持することができる。
【０５２６】
前部ガイドローラ３５１、３５２は、加湿フィルタケース３１０の後面の吸気開口部３１８の円周方向に沿って離間されてもよい。例えば、ガイドローラ３５１、３５２は、吸気開口部３１８の中心から所定の直径に沿って描かれた仮想円に配置されてもよい。
【０５２７】
所定の直径は、吸気開口部３１８の直径よりも大きく、かつ加湿フィルタユニット３２０の外側フレーム３２１ｂ、３２２ｂよりも小さく設定されている。ここで、外側フレームは、第１の外側フレーム３２１ｂの外径として理解されてもよい。
【０５２８】
前部ガイドローラ３５１、３５２は、加湿フィルタユニット３２０を前方から支持することにより、加湿フィルタユニット３２０を後方から支持する後部ガイドローラ３５３、３５４と共に、加湿フィルタ３３０のバランスを安定して維持することができる。
【０５２９】
さらに、ガイドローラ３５１、３５２、３５３、３５４は、シャフト支持体３１５に着座した中心シャフト３３５と共に斜めに配置された加湿フィルタユニット３２０のバランスを安定して維持することができる。
【０５３０】
特に、加湿フィルタ３３０は、加湿フィルタユニット３２０と一緒に回転するため、加湿フィルタ３３０は、前部ガイドローラ３５１、３５２、後部ガイドローラ３５３、３５４、およびシャフト支持体３１５によりバランスを維持して、安定して回転することができる。
【０５３１】
ガイドローラ３５１、３５２、３５３、３５４は、加湿フィルタユニット３２０が加湿フィルタケース３１０の後面およびシャフト支持体３１５の前面に接触することを防ぐことができる。したがって、加湿フィルタユニット３２０の回転摩擦および振動を低減することができる。したがって、水車によって引き起こされるノイズを最小限に抑えることができる。
【０５３２】
さらに、ガイドローラ３５１、３５２、３５３、３５４は、加湿フィルタユニット３２０の回転に応じて転動可能である。例えば、ガイドローラ３５１、３５２、３５３、３５４は、円筒状ローラまたはボール状ローラを含んでもよい。
【０５３３】
複数のガイドローラ３５１、３５２、３５３、３５４を設けてもよい。
【０５３４】
前部ガイドローラ３５１、３５２は、第１のガイドローラ３５１および第２のガイドローラ３５２を含んでもよい。
【０５３５】
第１のガイドローラ３５１および第２のガイドローラ３５２は、吸気開口部３１８の上部半円に沿って配置されてもよい。詳細には、第１のガイドローラ３５１と第２のガイドローラ３５２は、加湿フィルタケース３１０の後面から離間するように結合されてもよい。
【０５３６】
さらに、第１のガイドローラ３５１は、第２のガイドローラ３５２および中心シャフト３３５に対して鋭角を形成するように加湿フィルタケース３１０の後面に結合されてもよい。
【０５３７】
したがって、第１のガイドローラ３５１および第２のガイドローラ３５２は、上端部が前方に傾斜することができる加湿フィルタユニット３２０を安定して支持することができる。
【０５３８】
後部ガイドローラ３５３、３５４は、第３のガイドローラ３５３および第４のガイドローラ３５４を含んでもよい。
【０５３９】
第３のガイドローラ３５３と第４のガイドローラ３５４は、シャフト支持体３１５の前面で第２の外側フレーム３２２ｂの円周方向に沿って互いに離間されてもよい。
【０５４０】
詳細には、第３のガイドローラ３５３と第４のガイドローラ３５４は、第２の外側フレーム３２２ｂの後面に対応するように、シャフト支持体３１５の前面に結合されてもよい。
【０５４１】
第３のガイドローラ３５３は、第４のガイドローラ３５４および中心シャフト３３５に対して鋭角を形成するように、シャフト支持体３１５の前面に結合されてもよい。
【０５４２】
したがって、第３のガイドローラ３５３および第４のガイドローラ３５４は、下端部が後方に傾斜することができる加湿フィルタユニット３２０を安定して支持することができる。
【０５４３】
図１５は、図１３の「Ａ」の拡大図である。詳細には、図１５は、第２のガイドローラ３５２の拡大図である。
【０５４４】
複数のガイドローラ３５１、３５２、３５３、３５４は、設置位置を除いて、第２のガイドローラ３５２と同じ構成である。したがって、複数のガイドローラ３５１、３５２、３５３、３５４の構成を説明することにより、以下の第２のガイドローラ３５２の構成を使用することができる。
【０５４５】
図１５を参照すると、第２のガイドローラ３５２には、転動するためのローラ３５２と、ローラを固定するための部材である第１のローラリブ３５２ａおよび第２のローラリブ３５２ｂと、が設けられている。
【０５４６】
第１のローラリブ３５２ａおよび第２のローラリブ３５２ｂは、加湿フィルタケース３１０の後面から後方に突出してもよい。
【０５４７】
第１のローラリブ３５２ａおよび第２のローラリブ３５２ｂは、半径方向において吸気開口部３１８の中心から離間されてもよい。
【０５４８】
第２のガイドローラ３５２は、ローラ３５２を回転させるためのシャフトであるローラシャフト３５２ｃをさらに含んでもよい。
【０５４９】
ローラシャフト３５２ｃは、ローラ３５２の中心を通るように形成されてもよい。したがって、ローラ３５２は、ローラシャフト３５２ｃを中心に転動することができる。
【０５５０】
ローラシャフト３５２ｃの一端部分は第１のローラリブ３５２ａに結合され、ローラシャフト３５２ｃの他端部分は第２のローラリブ３５２ｂに結合されている。これにより、第２のガイドローラ３５２を加湿フィルタケース３１０に安定して固定することができる。
【０５５１】
ガイドローラ３５１、３５２、３５３、３５４は、加湿フィルタユニット３２０の外側フレームの回転に対応した転がり運動を行うことができる。したがって、加湿フィルタユニット３２０を安定して回転するようにガイドすることができる。その結果、水車の回転による摩擦ノイズを低減することができる。
【０５５２】
図１６は、本発明の一実施形態による加湿フィルタユニットの分解斜視図であり、図１７は、本発明の一実施形態によるフィルタ支持部分（第１のフレーム）を示す後部斜視図である。
【０５５３】
図１６および図１７を参照すると、第２のフレーム３２２は、第１のフレーム３２１に挿入された操作ロッド３７０をさらに含んでもよい。
【０５５４】
操作ロッド３７０は、第２の外側フレームの１つの表面から垂直に延在してもよい。例えば、操作ロッド３７０は、円筒状に形成されてもよい。
【０５５５】
第１のフレーム３２１は、操作ロッド３７０が挿入される操作孔３７１を形成してもよい。
【０５５６】
操作孔３７１は、操作ロッド３７０が第１のフレーム３２１の第１の外側フレームを貫通する開口部として形成されてもよい。
【０５５７】
第１のフレーム３２１と第２のフレーム３２２とが結合されている場合、ユーザは操作ロッド３７０を一方向に回転させることができる。したがって、第１のフレーム３２１と第２のフレーム３２２とを容易に分離することができる。
【０５５８】
詳細には、第２のフレーム３２２は、第２の外側フレームの一面から突出して第１のフレーム３２１と結合される押圧突起３７５と、円周方向に所定の長さだけ延長される接触線３７６と、をさらに含んでもよい。
【０５５９】
複数の押圧突起３７５および複数の接触線３７６を設けてもよい。後述する押圧突起３７５に対応するように、複数の分解ガイド３７９が設けられてもよい。
【０５６０】
押圧突起３７５は、接触線３７６の延長端部に配置されてもよい。押圧突起３７５は、接触線３７６の延在方向に大きな突出長さを有してもよい。言い換えると、押圧突起３７５は傾斜を形成することができる。
【０５６１】
第１のフレーム３２１は、収集部分３２２から突出する分解ガイド３７９をさらに含んでもよい。
【０５６２】
分解ガイド３７９は、第２のフレーム３２２と接触する収集部分３２２の一面から突出するように形成されてもよい。分解ガイド３７９は、押圧突起３７５および接触線３７６に対応する位置に形成されてもよい。
【０５６３】
さらに、分解ガイド３７９は円周方向に延在してもよい。例えば、分解ガイド３７９は、接触線３７６に対応するように延在してもよい。分解ガイド３７９は、延在方向に傾斜するように延在してもよい。
【０５６４】
分解ガイド３７９は、第１のフレーム３２１と第２のフレーム３２２とが互いに結合された場合に、接触線３７６の上側または下側に密着するように配置されてもよい。
【０５６５】
ユーザが操作ロッド３７０を回転させる場合、分解ガイド３７９を接触線３７６のガイドに沿って回転させて、押圧突起３７５に接触させてもよい。
【０５６６】
押圧突起３７５の傾斜によって押圧突起３７５が回転するにつれて、押圧突起３７５に接触する分解ガイド３７９が徐々に分離されてもよい。この場合、加湿フィルタユニット３２０は、容易に結合または分離することができる。したがって、加湿フィルタ３３０の交換を容易にすることができる。
【０５６７】
一方、加湿フィルタ３３０は、締結部材が挿入されて第１のフレーム３２１または第２のフレーム３２２に固定されるフィルタ孔３３０ａを形成してもよい。例えば、複数のフィルタ孔３３０ａは、加湿フィルタ３３０の外周に沿って設けられてもよい。
【０５６８】
加湿フィルタ３３０は、フィルタ孔３３０ａに挿入された締結部材によって第１のフレーム３２１と第２のフレーム３２２との間に固定されてもよい。
【０５６９】
図１８は、図１７の線Ｃ−Ｃ’に沿った断面図であり、図１９は、図１７の「Ｂ」部分の拡大図である。
【０５７０】
図１８および図１９を参照すると、複数の収集部分３３２が提供されてもよい。
【０５７１】
収集部分３３２は、加湿フィルタユニット３２０の回転により水が流動溝３４１に流入するように構成される。
【０５７２】
言い換えると、収集部分３３２は、加湿フィルタユニット３２０の円周方向に形成された流動溝３４１の一部を遮蔽するように形成されてもよい。例えば、収集部分３３２は、収集リブ３２５から「┐」の形状に延在してもよい。
【０５７３】
より具体的には、収集部分３３２には、中心シャフト３３５に対して収集リブ３２５から半径方向に延在する遮蔽壁３３２ｃと、加湿フィルタユニット３２０の回転方向または円周方向に延在する上壁３３２ａと、が設けられる。
【０５７４】
遮蔽壁３３２ｃおよび上壁３３２ａは、まとめて収集部分３３２の「壁」と呼ばれる場合がある。
【０５７５】
言い換えると、壁は、第１の外側フレーム３２１ｂの縁部から延在して、第２の外側フレーム３２２ｂの縁部を接続してもよい。
【０５７６】
遮蔽壁３３２ｃは、接線から収集リブ３２５の一点を通って垂直に延在してもよい。さらに、上壁３３２ａは、遮蔽壁３３２ｃから収集リブ３２５の延在する方向に延在してもよい。
【０５７７】
したがって、収集部分３３２は、収集リブ３２５から半径方向に離間され、かつ水が流入する空間を形成することができる。ここで、水が流入する空間は、収集溝３４５と呼ばれる場合がある。
【０５７８】
言い換えると、遮蔽壁３３２ｃと上壁３３２ａとは、第２の貯水部分２２９から流れる水が収集される収集溝３４５を形成することができる。例えば、遮蔽壁３３２ｃおよび上壁３３２ａは、収集溝３４５を形成するように収集リブ３２５から延在してもよい。
【０５７９】
上壁３３２ａの延在方向は、水車の回転方向と一致してもよい。したがって、第２の貯水部分２２９に貯められた水は、水車の回転により収集溝３４５に流れ込むことができる。
【０５８０】
上壁３３２ａの延在方向の端部部分として画定される延長端部部分は、収集溝３４５に流入する水を導入するための開口部である流入孔３４３を形成してもよい。流入孔３４３と収集溝３４５とは互いに連通している。
【０５８１】
収集リブ３２５には、収集部分３３２に対応する数だけ、収集溝３４５に汲み上げられた水が落下できる開口部である落下孔３２６が形成されている。
【０５８２】
上壁３３２ａの延長端部部分から中心シャフト３３５に向かって引かれた仮想直線は、収集リブ３２５の１つの接線において垂線を形成することができる。そして、垂線の足は、水車の回転方向で落下孔３２６の前に位置してもよい。
【０５８３】
収集部分３３２に流入した水は、収集部分３３２と収集リブ３２５とが回転によって上下逆さまになると、落下孔３２６を通って加湿フィルタ３３０内に落下する。
【０５８４】
一方、収集溝３４５の大きさは多様に形成することができる。例えば、水を汲み上げる能力を高めるために、上壁３２２ａまたは遮蔽壁３３２ｃは、円周方向または半径方向にさらに延在してもよい。例えば、遮蔽壁３３２ｃは、外側フレームよりもさらに半径方向に延在してもよい。
【０５８５】
収集部分３３２は、遮蔽壁３３２ｃと上壁３３２ａとを接続する側壁３３２ｂをさらに含んでもよい。
【０５８６】
側壁３３２ｂは、第１の外側フレームおよび／または第２の外側フレームと反対の方向に延在してもよい。
【０５８７】
フィルタギヤ３３８の回転により収集部分３３２から汲み上げられた水は、上壁３３２ａの内面に沿って収集溝３４５を満たすことができる。
【０５８８】
さらに、加湿フィルタユニット３２０を回転させる過程で、収集溝３４５内の水は、遮蔽壁３３２ｃの内面および収集リブ３２５内を移動しながら落下孔３２６に流入することができる。
【０５８９】
落下孔３２６を通って排出される水は、加湿フィルタ３３０を濡らしてもよい。言い換えると、落下孔３２６を通って流下する水が加湿フィルタ３３０にしみこんで、吸気開口部３１８から導入された空気が加湿フィルタ３３０を通過する間に加湿される。
【０５９０】
以下、ドアアセンブリ２００が出し入れされる方向、すなわち前後方向に結合されたフィルタギヤ３３８と駆動ギヤ３５５の実施形態について詳細に説明する。
【０５９１】
本発明の実施形態による駆動ギヤ３５５とフィルタギヤ３３５は、前後方向に係合することができる。
【０５９２】
さらに、本発明の実施形態による駆動ギヤ３５５およびフィルタギヤ３３５は、前後方向に係合する２つのギヤ間をより容易かつ円滑に結合することができる。
【０５９３】
さらに、本発明の実施形態による駆動ギヤ３５５とフィルタギヤ３３５は、ユーザが相対的に小さい力を提供することにより、２つのギヤ間の結合を達成することができる。
【０５９４】
本発明の実施形態による駆動ギヤ３５５とフィルタギヤ３３５は、２つのギヤ間の接触による摩擦抵抗を減らすことにより、ノイズを最小化することができる。言い換えると、水車の静粛性を向上させることが可能である。
【０５９５】
図２０は、図１１の「Ｅ」の拡大図である。
【０５９６】
図２０を参照すると、フィルタギヤ３３８は、フィルタギヤフレーム３３８ａおよびフィルタギヤ歯３３８ｂを含む。
【０５９７】
フィルタギヤフレーム３３８ａは、第２の外側フレーム３２２ｂから後方に垂直に延在してもよい。フィルタギヤフレーム３３８ａは、第２の外側フレーム３２２ｂの周りに延在してもよい。
【０５９８】
言い換えると、フィルタギヤフレーム３３８ａは、第２のフレーム３２２の後面に設けられてもよい。フィルタギヤフレーム３３８ａは、第２のフレーム３２２の円周方向に延在してもよい。ここで、円周方向は、中心シャフト３３５に対して同じ距離にある点のトレースによって形成される方向として理解することができる。
【０５９９】
フィルタギヤフレーム３３８ａは、リング状に形成されてもよい。
【０６００】
フィルタギヤ歯３３８ｂは、フィルタギヤ３３８のギヤ歯として定義されてもよい。言い換えると、フィルタギヤ歯３３８ｂは、フィルタギヤフレーム３３８ａから歯を形成することができる。
【０６０１】
フィルタギヤ歯３３８ｂは、フィルタギヤフレーム３３８ａから半径方向に突出してもよい。ここで、半径方向は、中心シャフト３３５から外側フレームまで延長する方向として理解することができる。
【０６０２】
複数のフィルタギヤ歯３３８ｂは、フィルタギヤフレーム３３８ａの周囲に沿って所定の間隔で配置されてもよい。
【０６０３】
フィルタギヤ３３８は、駆動ギヤ３５５との結合をガイドするためのスリップガイド３３９をさらに含む。
【０６０４】
スリップガイド３３９は、後述する結合ボス３５８を一方または他方にスライドさせることができる。
【０６０５】
スリップガイド３３９は、フィルタギヤ歯３３８ｂに形成されてもよい。詳細には、スリップガイド３３９は、フィルタギヤ歯３３８ｂから後方に突出するように形成されてもよい。
【０６０６】
スリップガイド３３９の突出方向は、フィルタギヤ歯３３８ｂがフィルタギヤフレーム３３８ａから後方に突出する半径方向に垂直な方向として理解することができる。
【０６０７】
スリップガイド３３９は、スリップガイド３３９の両端の幅が後方に向かって狭くなるように、フィルタギヤ歯３３８ｂから延在することができる。
【０６０８】
言い換えると、スリップガイド３３９の両側面は、傾斜面として形成されてもよい。例えば、スリップガイド３３９の断面は三角形を形成してもよい。
【０６０９】
スリップガイド３３９の一方の側面に形成された傾斜面は第１の傾斜部分３３９ｂと定義され、スリップガイド３３９の他方の側面に形成された傾斜面は第２の傾斜部分３３９ｃと定義される。
【０６１０】
第１の傾斜部分３３９ｂおよび第２の傾斜部分３３９ｂは、フィルタギヤ歯３３８ｂの両端から後方に延在して互いに接触してもよい。例えば、第１の傾斜部分３３９ｂの延在方向に引かれた仮想直線は、第２の傾斜部分３３９ｃの延在方向に引かれた仮想直線と接触または交差してもよい。
【０６１１】
スリップガイド３３９の後端部分３３９ａは、第１の傾斜部分３３９ｂと第２の傾斜部分３３９ｃとが互いに接触する縁部として画定されてもよい。
【０６１２】
スリップガイド３３９の後端部分３３９ａは、曲面として形成されてもよい。したがって、スリップガイド３３９の後端部分３３９ａは、後述する結合ボス３５８の曲面部分３５９に接触し、結合ボス３５８を一方の側または他方の側にガイドすることができる。
【０６１３】
図２１は、本発明の一実施形態による加湿フィルタ駆動ギヤの構成を示す斜視図である。
【０６１４】
図２１を参照すると、駆動ギヤ３５５は、駆動ギヤフレーム３５６および駆動ギヤ歯３５７を含む。
【０６１５】
詳細には、駆動ギヤフレーム３５６は、水車モータ３５３のシャフト３５３ａが結合されるモータシャフト結合孔３５６ａから半径方向に延在してもよい。例えば、駆動ギヤフレーム３５６はディスク形状を含んでもよい。
【０６１６】
駆動ギヤフレーム３５６には、重量を減らすために複数の穿孔３５６ｂが形成されてもよい。
【０６１７】
駆動ギヤフレーム３５６の中央には、水車モータ３５３に接続されるモータシャフト結合孔３５６ａが形成されてもよい。水車モータ３５３のシャフトは、水車モータ３５３の動力を駆動ギヤ３５５に伝達できるように、モータシャフト結合孔３５６ａに結合される。
【０６１８】
駆動ギヤフレーム３５６の外周は、中央部分より厚くてもよい。駆動ギヤフレーム３５６の外周は、円周方向に延在してもよい。ここで、円周方向は、モータシャフト結合孔３５６ａに対して同じ距離にある点のトレースによって形成される方向として理解することができる。
【０６１９】
駆動ギヤ歯３５７は、駆動ギヤ３５５のギヤ歯として定義されてもよい。言い換えると、駆動ギヤ歯３５７は、駆動ギヤフレーム３５６から歯を形成することができる。
【０６２０】
駆動ギヤ歯３５７は、駆動ギヤフレーム３５６から突出するように形成されてもよい。
【０６２１】
詳細には、駆動ギヤ歯３５７は、駆動ギヤフレーム３５６の外周から半径方向に延在してもよい。ここで、半径方向は、モータシャフト結合孔３５６ａを中心として駆動ギヤフレーム３５６に向かって延長する方向として理解することができる。
【０６２２】
複数の駆動ギヤ歯３５７は、駆動ギヤフレーム３５６の周囲（円周方向）に沿って所定の間隔で配置されてもよい。
【０６２３】
駆動ギヤ３５５は、フィルタギヤ３３８との結合をガイドするための結合ボス３５８をさらに含む。
【０６２４】
ドアアセンブリ２００がキャビネット１００内に押し込まれると、結合ボス３５８はスリップガイド３３９に接触し、一方の側または他方の側にスライドすることができる。
【０６２５】
結合ボス３５８は、駆動ギヤ歯３５７に形成されてもよい。例えば、結合ボス３５８は、駆動ギヤ歯３５７の前端部に形成されてもよい。
【０６２６】
より具体的には、結合ボス３５８は、駆動ギヤ歯３５７から前方に突出して、スリップガイド３３９と接触してもよい。例えば、結合ボス３５８の突出方向は、駆動ギヤ歯３５７の突出方向に対して垂直であってもよい。
【０６２７】
結合ボス３５８が形成された駆動ギヤ歯３５７は、駆動ギヤ歯３５７の両端の幅が結合ボス３５８に向かって狭くなるように傾斜面を形成することができる。駆動ギヤ歯３５７の傾斜面は、上述したスリップガイド３３９の第１の傾斜部分または第２の傾斜部分に容易に滑り込むように形成することができる。
【０６２８】
言い換えると、結合ボス３５８とスリップガイド３３９は、互いに反対方向に突出するように延在してもよい。
【０６２９】
結合ボス３５８は、円筒形状を有してもよい。結合ボス３５８は、スリップガイド３３９が前端部分に接触したときに、その前端部分が容易にスライドするように半球状に形成されてもよい。
【０６３０】
言い換えると、結合ボス３５８は、曲面部分３５９を含んでもよい。詳細には、曲面部分３５９は、結合ボス３５８の前端部に形成され、鈍い半球状に形成されてもよい。
【０６３１】
したがって、フィルタギヤ３３９引き込まれた状態でスロープガイド３３９と結合ボス３５８が互いに接触すると、曲面部分３５９は第１の傾斜部分３３９ｂまたは第２の傾斜部分３３９ｃを容易にスライドすることができる。駆動ギヤ歯３５７およびフィルタギヤ歯３３８ｂは、第１の傾斜部分３３９ｂまたは第２の傾斜部分３３９ｃに沿ってスライドする結合ボス３５８により最小まで回転し、したがって、フィルタギヤ歯３３８ｂを２つの駆動ギヤ歯３５７の間に挿入することができる。その結果、フィルタギヤ歯３３８と駆動ギヤ歯３５７を、互いに係合するように結合することができる。
【０６３２】
図２２は、本発明の一実施形態による加湿フィルタ駆動ギヤとフィルタギヤとの係合過程を示す図である。
【０６３３】
図２２を参照して、本発明の実施形態によるフィルタギヤ３３８と駆動ギヤ３５５とが互いに係合するように結合される過程を詳細に説明する。
【０６３４】
ドアアセンブリ２００は、ユーザの外力によってキャビネット１００に引き込まれるか、キャビネット１００に挿入されてもよい。このとき、フィルタギヤ３３８が引き込まれる方向Ｆは、ユーザの外力による力の方向と同じであってもよい。
【０６３５】
ドアアセンブリ２００がキャビネット１００内に引き込まれる動作に沿って、後方に移動するフィルタギヤ３３８は、キャビネット１００に固定された駆動ギヤ３５５と接触してもよい。例えば、方向Ｆに沿ってキャビネット１００内に移動するスリップガイド３３９の後端部３３９ａは、結合ボス３５８と接触してもよい。
【０６３６】
スリップガイド３３９の後端部分３３９ａと結合ボス３５８の曲面部分３５９とが互いに接触している場合、スリップガイド３３９の後端部分３３９ａと結合ボス３５８の曲面部分３５９の両方が曲面として形成されているため、結合ボス３５８の曲面部分３５９は、第１のガイド部分３３９ｂまたは第２のガイド部分３３９ｃまで容易にスライドすることができる。したがって、スリップガイド３３９は、方向Ｆに進んでいる間、結合ボス３５８を一方の側または他方の側に向かって滑るようにガイドすることができる。
【０６３７】
結合ボス３５８がスリップガイド３３９の第１の傾斜部分３３９ｂまたは第２の傾斜部分３３９ｃに沿ってスライドすると、駆動ギヤ歯３５７および／またはフィルタギヤ歯３３８ｂが回転することができる。ここで、フィルタギヤ歯３３８ｂの回転方向Ｒ１は、駆動ギヤ歯３５７の回転方向Ｒ２と反対であってもよい。
【０６３８】
言い換えると、駆動ギヤ歯３５７およびフィルタギヤ歯３３８ｂは、フィルタギヤ３３８が方向Ｆに移動し、フィルタギヤ歯３３８ｂが２つの駆動ギヤ歯３５７の間に挿入され得るように回転する。その結果、フィルタギヤ歯３３８ｂと駆動ギヤ歯３５７とを互いに係合することができる。
【０６３９】
要約すると、スリップガイド３３９が方向Ｆに沿ってキャビネット１００内に移動する間、結合ボス３５８は第１の傾斜部分３３９ｂまたは第２の傾斜部分３３９ｂに沿ってスライドする。したがって、フィルタギヤ３３８と駆動ギヤ３５５が回転し、フィルタギヤ３３８と駆動ギヤ３５５とのギヤ歯の間に交互に配置され得る。
【０６４０】
図２３は、本発明の一実施形態による加湿フィルタ駆動ギヤとフィルタギヤとが結合された場合に、相対位置による必要な力の実験結果を比較したグラフである。
【０６４１】
上記の実施形態によるフィルタギヤ３３８および駆動ギヤ３５５以外の関連技術のギヤが設けられている場合、ユーザは、フィルタギヤ３３８のギヤ歯が駆動ギヤ３５５のギヤ歯の間に位置するように、フィルタギヤ３３８のギヤ歯を強制的に押さなければならない。このとき、加湿フィルタ駆動ギヤの側面方向からフィルタギヤをキャビネット内に引き込む場合に比べて、ユーザが加える力が非常に大きいという問題がある。
【０６４２】
図２３のグラフは、フィルタギヤ３３８と駆動ギヤ３５５との間の相対位置％に従って、フィルタギヤ３３８と駆動ギヤ３５５とを係合するために必要な動力Ｎを示している。
【０６４３】
相対位置％は、フィルタギヤ３３８のギヤ歯の後端面が駆動ギヤ３５５のギヤ歯の前端面に接触している場合に基づいている。
【０６４４】
言い換えると、フィルタギヤ歯３３８ｂの後端部が駆動ギヤ歯３５７の前端部に接触する場合を相対位置の基準（０％）と定義する。
【０６４５】
基準（０％）からの右プラス（＋）方向は、フィルタギヤ歯３３８ｂが第１の方向（時計回り方向）に回転し、駆動ギヤ歯３５７と接触する相対位置として定義される。基準（０％）から左のマイナス（−）方向は、フィルタギヤ歯３３８ｂが第２の方向（反時計回り方向）に回転し、駆動ギヤ歯３５７に接触する相対位置として定義される。
【０６４６】
例えば、相対位置＋５０％は、フィルタギヤ歯３３８ｂのいずれか１つが時計回り方向に回転し、２つのフィルタギヤ歯３３８ｂの間に完全に位置する場合であることが理解できる。この場合、ユーザがドアアセンブリ２００を押すのに必要な力Ｎを最小限に抑えることができる。
【０６４７】
さらに、相対位置−５０％は、フィルタギヤ歯３３８ｂのいずれか１つが反時計回り方向に回転し、２つのフィルタギヤ歯３３８ｂの間に完全に位置する場合であることが理解できる。したがって、相対位置＋５０％および相対位置−５０％で必要な力Ｎは同じである。
【０６４８】
必要な力Ｎは、上記フィルタギヤが加湿フィルタ駆動ギヤの側面方向に引き込まれることを想定した場合の許容基準として、結合に必要な力を定義することができる。例えば、許容基準は５Ｎ（標準）であってもよい。
【０６４９】
上述した本発明の実施形態に適合しないフィルタギヤおよび加湿フィルタ駆動ギヤを備えた場合（関連技術）、相対位置０％では最大の力が必要となる。このとき、最大の力は２０Ｎ以上であってもよい。
【０６５０】
一方、本発明の実施形態によるフィルタギヤ３３８および駆動ギヤ３５５が設けられている場合（本発明）、相対位置に応じた必要な力Ｎは、許容基準内（５Ｎ）で実質的に一定に保たれる。
【０６５１】
言い換えると、本発明の実施形態によるフィルタギヤ３３８と駆動ギヤ３５５によれば、フィルタギヤ３３８と駆動ギヤ３５５とを前後方向に容易に互いに係合することができる。
【０６５２】
したがって、ユーザは、比較的小さな力でドアアセンブリ２００を押して、フィルタギヤ３３８と駆動ギヤ３５５を互いに正確に係合するように結合することができる。
【０６５３】
一方、駆動ギヤ３５５は第１のギヤと呼ばれ、フィルタギヤ３３８は第２のギヤと呼ばれる場合がある。言い換えると、キャビネット１００に固定された第１のギヤは、前面から引き込まれたまたは挿入された第２のギヤに容易に結合することができる。
【０６５４】
実施形態のすべての要素が１つに結合されるか、または組み合わされた状態で動作されるとしても、本開示はそのような実施形態に限定されない。すなわち、本発明の範囲を逸脱することなく、すべての要素を互いに選択的に組み合わせることができる。さらに、１つの要素がいくつかの要素を備える（または含むまたは有する）と記述されている場合には、それらの要素のみを備える（または含むまたは有する）ことができ、あるいは特定の制限がない場合にはそれらの要素だけでなく他の要素も備える（または含むまたは有する）ことができることを理解されたい。本明細書で特に明確に定義されていない限り、技術用語または科学用語を含むすべての用語には、当業者によって理解される意味が与えられるものとする。辞書で定義される用語と同様に、一般的に使用される用語は、技術的な文脈で使用される意味として解釈する必要があり、ここで特に明確に定義されない限り、理想的または過度に形式的な意味として解釈されない。
【０６５５】
いくつかの例示的な実施形態を参照して実施形態を説明したが、添付の特許請求の範囲で定義された本発明の趣旨および範囲から逸脱することなく、形態および詳細の様々な変更を行うことができることを当業者は理解するであろう。したがって、好ましい実施形態は、限定の目的ではなく説明の意味でのみ考慮されるべきであり、本発明の技術的範囲は実施形態に限定されない。さらに、本発明の詳細な説明によってではなく、添付の特許請求の範囲によって定義され、範囲内のすべての相違は、本開示に含まれると解釈される。
【符号の説明】
【０６５６】
１０  加湿空気清浄機
３０  凹状空間
１００  キャビネット
１０１  ベース
１０３  サイドパネル
１０５  上部パネル
１０７  後部パネル
１０８  ディスプレイ溝
１０９  排出部分
１１０  本体フレーム
１１２  空間部分
１１２ａ  緩衝空間
１２０  反射プレート
１２２  照明ＰＣＢ
１２４  照明ケース
２００  ドアアセンブリ
２１０  ドアパネル
２２０  引き出し
２２１  ドア前面
２２２  ドア側面
２２５  吸気口
２２９  第２の貯水部分
２３０  レールガイド
２６０  水槽
２６０ｈ  孔
２６１  水槽ケース
２６１ａ  台座端部
２６１ｓ  水容器台座面
２６２  フロート収容部分
２６２ａ  第１の貯水部分
２６３  第１の貯水部分
２６４  係合部分
２６４ａ  段付き突起
２６５  前部切開部分
２６９ａ  殺菌装置コネクタ
２７０  水容器
２７６  バルブ装置
２８０  エアフィルタアセンブリ
２８１  エアフィルタケース
２８５  エアフィルタ
３００  加湿フィルタアセンブリ
３１０  加湿フィルタケース
３１０ａ  最下点
３１１  ハンドル部分
３１２  上面
３１３  側面
３１４  段差部分
３１５  シャフト支持体
３１５ａ  着座溝
３１５ｂ  切開ポート
３１６  底面
３１６ａ  底面開口部
３１８  吸気開口部
３１８ａ  支持突起
３２０  加湿フィルタユニット
３２１  第１のフレーム
３２１ａ  第１のフィルタフレーム
３２１ｂ  第１の外側フレーム
３２２  第２のフレーム
３２２ａ  第２のフィルタフレーム
３２２ｂ  第２の外側フレーム
３２５  収集リブ
３２６  落下孔
３３０  加湿フィルタ
３３０ａ  フィルタ孔
３３２  収集部分
３３２ａ  上壁
３３２ｂ  側壁
３３２ｃ  遮蔽壁
３３５  中心シャフト
３３８  フィルタギヤ
３３８ａ  フィルタギヤフレーム
３３８ｂ  フィルタギヤ歯
３３９  スリップガイド
３３９ａ  後端部分
３３９ｂ  第１の傾斜部分
３３９ｃ  第２の傾斜部分
３４１  流動溝
３４３  流入孔
３４５  収集溝
３５１  第１のガイドローラ
３５２  第２のガイドローラ
３５２ａ  第１のローラリブ
３５２ｂ  第２のローラリブ
３５２ｃ  ローラシャフト
３５３  水車モータ
３５３ａ  シャフト
３５４  モータブラケット
３５４ａ  ルーバガイド
３５４ｂ  ルーバ
３５４ｃ  ルーバ溝
３５４ｄ  ルーバ孔
３５５  駆動ギヤ
３５６  駆動ギヤフレーム
３５６ａ  モータシャフト結合孔
３５６ｂ  穿孔
３５７  駆動ギヤ歯
３５８  結合ボス
３５９  曲面部分
３７０  操作ロッド
３７１  操作孔
３７５  押圧突起
３７６  接触線
３７９  分解ガイド
４００  ハウジングアセンブリ
４１０  ファンハウジング
４１１ａ  コンタクトホール
４１２  ハーネスリブ
４１３  イオナイザリブ
４１３ａ  イオナイザ
４１５  ファン吸気口
４１５ａ  カバー開口部
４１７  第１のモータカバー
４１８  第２のモータカバー
４１９  締結シャフト
４２０  ハウジングフロントカバー
４２３  切開空間
４２５  モータケース
４２６  切断端部
４３０  ハウジングカバー
４５０  電気ユニット
４５１  プレート
４５３  電気部品
４５５  電気カバー
４５９  締結突起
４８０  送風ファン
４８５  ファンモータ
４８５ａ  ファンモータ収容体
５００  フロート装置
Ｄ１  最短距離
Ｄ２  最短距離
Ｆ  方向
Ｈ１  最大高さ
Ｈ２  最大幅
α  所定の角度
【図１】
2020071018.tif 000003
【図２】
2020071018.tif 000004
【図３】
2020071018.tif 000005
【図４】
2020071018.tif 000006
【図５】
2020071018.tif 000007
【図６】
2020071018.tif 000008
【図７】
2020071018.tif 000009
【図８】
2020071018.tif 000010
【図９】
2020071018.tif 000011
【図１０】
2020071018.tif 000012
【図１１】
2020071018.tif 000013
【図１２】
2020071018.tif 000014
【図１３】
2020071018.tif 000015
【図１４】
2020071018.tif 000016
【図１５】
2020071018.tif 000017
【図１６】
2020071018.tif 000018
【図１７】
2020071018.tif 000019
【図１８】
2020071018.tif 000020
【図１９】
2020071018.tif 000021
【図２０】
2020071018.tif 000022
【図２１】
2020071018.tif 000023
【図２２】
2020071018.tif 000024
【図２３】
2020071018.tif 000025
【外国語明細書】
2020071018000001.pdf